(57)【要約】【課題】ユーザが、記録されたTVプログラムおよび他のマルチメディアコンテンツを、DVRからパーソナルコンピュータ(PC)へ転送できる安全な通信システムを確立すること。【解決手段】マルチメディアコンテンツの安全な転送およびプレイバックのための方法および装置は、マルチメディアコンテンツのデジタルビデオレコーダ(DVR)からパーソナルコンピュータ(PC)へ、さらにハンドヘルドデバイスへの安全な転送を可能にする。DVRは、ローカルエリアネットワーク(LAN)上のどのデバイスが、DVRからコンテンツを共用および／または取り出す許可を得ているかを判定する。DVRは、LAN上のPCから接続要求を受信し、接続要求を許可し、かつDVRおよびPC間で安全な接続を確立する。一旦、安全な接続が確立されると、DVRは、マルチメディアコンテンツ用の要求をPCから受信し、転送のためにマルチメディアコンテンツを準備し、かつマルチメディアコンテンツをPCに転送する。【選択図】図3A
2008521365.tif 000002
【特許請求の範囲】
【請求項１】
マルチメディアコンテンツの安全な転送およびプレイバックを提供する方法であって、
デジタルビデオレコーダ(DVR)において、ローカルエリアネットワーク(LAN)内のパーソナルコンピュータ(PC)を許可された共用PCとして識別すること；
前記DVRおよび前記許可された共用PC間で安全な接続を確立すること；
前記DVRにおいて、マルチメディアコンテンツ用の要求を前記許可された共用PCから受信すること；
前記DVRにおいて、前記要求されたマルチメディアコンテンツを、前記要求されたマルチメディアコンテンツが第1のフォーマットで格納される、前記DVR上の記憶デバイスから取り出すこと；
前記DVRにおいて、前記マルチメディアコンテンツの前記第1のフォーマットを、第2のフォーマットがコンピュータ可読フォーマットである、前記マルチメディアコンテンツの前記第2のフォーマットに変換すること；および
前記マルチメディアコンテンツの前記第2のフォーマットを前記DVRから前記許可された共用PCへ送ることを有する方法。
【請求項２】
安全な接続を確立することが、さらに、
前記DVRにおいて、第1の接続要求を前記許可された共用PCから受信すること；および
前記DVRにおいて、前記許可された共用PCが、前記接続を確立することを許可されていると判定することを有し、
前記許可された共用PCが許可されていると判定することは、固有番号識別子を前記許可された共用PCから受信することを含む、請求項1に記載の方法。
【請求項３】
前記DVRにおいて、固有番号識別子を指定するメディア・アプリケーション・プログラムを利用する任意のPCが、前記接続を確立することを許可されているというメッセージを受信することを、さらに有する請求項1に記載の方法。
【請求項４】
マルチメディアコンテンツに対する前記要求が、メッセージをサービスプロバイダから受信する前記許可された共用PCに応じて、前記許可された共用PCから送られる請求項1に記載の方法。
【請求項５】
前記サービスプロバイダが、前記要求されたマルチメディアコンテンツが前記DVRの前記記憶デバイス上に格納されていると判定した後、前記サービスプロバイダからの前記メッセージが、前記許可された共用PCに送られる請求項4に記載の方法。
【請求項６】
前記DVRにおいて、前記要求されたマルチメディアコンテンツをサービスプロバイダから取り出すこと；および
前記要求されたマルチメディアコンテンツを前記記憶デバイス上に格納することをさらに有する請求項1に記載の方法。
【請求項７】
マルチメディアコンテンツに対する前記要求が、メッセージをサービスプロバイダから受信する前記許可された共用PCに応じて、前記許可された共用PCから送られる請求項6に記載の方法。
【請求項８】
前記DVRにおいて、広告コンテンツをサービスプロバイダから受信すること；および
前記広告コンテンツを前記DVRから前記PCに送ることをさらに有する請求項1に記載の方法。
【請求項９】
前記PCにおいて、前記広告コンテンツを受信すること；
前記広告コンテンツをユーザに表示すること；および
前記広告コンテンツが、前記ユーザに表示されたことを指示するメッセージを前記PCから前記サービスプロバイダに送ることを、さらに有する請求項8に記載の方法。
【請求項１０】
前記サービスプロバイダが、マルチメディアコンテンツを転送するための遠隔要求を受信した後、前記サービスプロバイダからの前記メッセージが、前記許可された共用PCに送られ；および前記マルチメディアコンテンツを転送するための遠隔要求が、ポータブルデバイスから送られる、請求項4に記載の方法。
【請求項１１】
前記マルチメディアコンテンツの前記第2のフォーマットが、任意のMPEG (Motion Pictures Expert Group)フォーマットである請求項1に記載の方法。
【請求項１２】
前記変換するステップが、さらに、
追加のデータを前記マルチメディアコンテンツの前記第2のフォーマットにアタッチすることを有し、
前記追加のデータが前記マルチメディアコンテンツに関する情報を含む請求項1に記載の方法。
【請求項１３】
前記マルチメディアコンテンツの前記第1のフォーマットおよび前記第2のフォーマットが、任意のMPEG (Motion Pictures Expert Group)フォーマットである請求項12に記載の方法。
【請求項１４】
前記追加のデータが、前記マルチメディアコンテンツに対するユーザライセンス情報を含む請求項12に記載の方法。
【請求項１５】
前記追加のデータが、前記マルチメディアコンテンツに対する起源情報を含む請求項12に記載の方法。
【請求項１６】
前記変換するステップが、さらに、
透かしを前記マルチメディアコンテンツの前記第2のフォーマットにアタッチすることを有する請求項1に記載の方法。
【請求項１７】
前記DVRにおいて、前記マルチメディアコンテンツの前記第2のフォーマットを暗号化するステップをさらに有する請求項1に記載の方法。
【請求項１８】
前記DVRにおいて、マルチメディアコンテンツをコンテンツサーバから受信すること；および
前記記憶デバイス上に前記マルチメディアコンテンツを格納することを、さらに有する請求項1に記載の方法。
【請求項１９】
マルチメディアコンテンツの安全な転送およびプレイバックを提供するための方法であって、
パーソナルコンピュータ(PC)において、特定のデジタルビデオレコーダ(DVR)を許可された共用DVRとして識別すること；
前記PCおよび前記許可された共用DVR間で安全な接続を確立すること；
特定のマルチメディアコンテンツを前記許可された共用DVRから要求すること；
前記PCにおいて、前記要求された特定のマルチメディアコンテンツを前記許可された共用DVRから受信することを有し、前記マルチメディアコンテンツが、前記デジタルデータストリームの形であり；および
前記デジタルデータストリームを前記PCに通信可能に結合された記憶デバイス上に格納することを有する方法。
【請求項２０】
パーソナルコンピューティングデバイス上のプレイバックのために前記デジタルデータストリームを処理することをさらに有する請求項19に記載の方法。
【請求項２１】
前記デジタルデータストリームが、任意のMPEGフォーマットである請求項19に記載の方法。
【請求項２２】
前記特定のDVRを許可されたDVRとして識別するユーザ入力を受信することをさらに有する請求項19に記載の方法。
【請求項２３】
前記特定のDVRを許可されたDVRとして識別するユーザ入力が、前記特定のDVRと関連した固有番号識別子である請求項22に記載の方法。
【請求項２４】
ポータブルデバイスによるプレイバックのための前記受信されたマルチメディアコンテンツをフォーマットすること；および
前記フォーマットされたマルチメディアコンテンツをポータブルデバイスに転送することをさらに有する請求項19に記載の方法。
【請求項２５】
前記要求するステップが、さらに、
前記許可された共用DVRからの特定のマルチメディアコンテンツの前記転送を要求するサービスプロバイダから、メッセージを受信することに応じて、前記特定のマルチメディアコンテンツを前記許可された共用DVRから要求することを有する請求項19に記載の方法。
【請求項２６】
前記サービスプロバイダが、前記特定のマルチメディアコンテンツが前記DVRの記憶デバイス上に格納さていると判定した後、前記サービスプロバイダからの前記メッセージが送られる請求項25に記載の方法。
【請求項２７】
マルチメディアコンテンツの安全な転送およびプレイバックを提供するための方法であって：
デジタルビデオレコーダ(DVR)において、ローカルエリアネットワーク(LAN)内のパーソナルコンピュータ(PC)を許可された共用PCとして識別すること；
前記DVRおよび前記許可された共用PC間で安全な接続を確立すること；
前記DVRにおいて、マルチメディアコンテンツ用の要求を前記許可された共用PCから受信すること；
前記DVRにおいて、前記要求されたマルチメディアコンテンツを、前記要求されたマルチメディアコンテンツが第1のフォーマットで格納される前記DVR上の記憶デバイスから取り出すこと；
前記マルチメディアコンテンツの前記第1のフォーマットを前記DVRから前記許可された共用PCへ送ること；
前記PCにおいて、前記マルチメディアコンテンツの前記第1のフォーマットを受信すること；および
前記PCにおいて、前記マルチメディアコンテンツの前記第1のフォーマットを前記マルチメディアコンテンツの第2のフォーマットに変換することを有し、前記第2のフォーマットが、コンピュータ可読フォーマットである方法。
【請求項２８】
マルチメディアコンテンツの安全な転送およびプレイバックを提供するための方法であって：
デジタルビデオレコーダ(DVR)において、ローカルエリアネットワーク(LAN)内のパーソナルコンピュータ(PC)を許可された共用PCとして識別すること；
前記DVRおよび前記許可された共用PC間で安全な接続を確立すること；
前記許可された共用PCにおいて、マルチメディアコンテンツ用の要求を前記DVRから受信すること；
前記許可された共用PCにおいて、前記要求されたマルチメディアコンテンツを前記許可された共用PC上の記憶デバイスから取り出すこと；
前記要求されたマルチメディアコンテンツを前記許可された共用PCから前記DVRに送ることを有する方法。
【請求項２９】
前記許可された共用PCにおいて、マルチメディアコンテンツをポータブルデバイスから受信すること；および
前記許可された共用PCにおいて、前記許可された共用PCの前記記憶デバイス上に前記マルチメディアコンテンツを格納することをさらに有する請求項28に記載の方法。
【請求項３０】
マルチメディアコンテンツの安全な転送およびプレイバックを提供するためのシステムであって：
デジタルビデオレコーダ(DVR)；
パーソナルコンピュータ(PC)；
サービスプロバイダ；
前記サービスプロバイダ、PCおよびDVRに結合されたコンピュータネットワークを有し；
前記サービスプロバイダが、前記DVR上に格納されたマルチメディアコンテンツのリスティングを取得するために、前記DVRと通信する；
前記サービスプロバイダが、マルチメディアコンテンツの前記リスティングを前記サービスプロバイダのユーザに提供する；および
前記DVRが、前記サービスプロバイダにより、前記サービスプロバイダにより提供されたマルチメディアコンテンツの前記リスティングに従ってユーザにより選択される特定のマルチメディアコンテンツを、前記PCに転送することを命令される、システム。
【請求項３１】
前記サービスプロバイダが、前記DVRの記録スケジュールを取得するために、前記DVRと通信し；かつ前記DVRが、前記サービスプロバイダにより、前記ユーザにより選択されるマルチメディアプログラムを記録するように命令される請求項30に記載のシステム。
【請求項３２】
前記PCが、前記サービスプロバイダにより、特定のマルチメディアコンテンツを前記DVRから前記コンピュータネットワークにわたって取り出すように命令される請求項30に記載のシステム。
【請求項３３】
マルチメディアコンテンツの安全な転送およびプレイバックを提供するための装置であって、
デジタルビデオレコーダ(DVR)において、ローカルエリアネットワーク(LAN)内のパーソナルコンピュータ(PC)を許可された共用PCとして識別するためのモジュール；
前記DVRおよび前記許可された共用PC間で安全な接続を確立するためのモジュール；
前記DVRにおいて、マルチメディアコンテンツ用の要求を前記許可された共用PCから受信するためのモジュール；
前記DVRにおいて、前記要求されたマルチメディアコンテンツを、前記要求されたマルチメディアコンテンツが第1のフォーマットで格納される、前記DVR上の記憶デバイスから取り出すためのモジュール；
前記DVRにおいて、前記マルチメディアコンテンツの前記第1のフォーマットを、第2のフォーマットがコンピュータ可読フォーマットである、前記マルチメディアコンテンツの前記第2のフォーマットに変換するためのモジュール；および
前記マルチメディアコンテンツの前記第2のフォーマットを前記DVRから前記許可された共用PCへ送るためのモジュールを有する装置。
【請求項３４】
安全な接続を確立することが、さらに：
前記DVRにおいて、第1の接続要求を前記許可された共用PCから受信するためのモジュール；および
前記DVRにおいて、前記許可された共用PCが、前記接続を確立することを許可されていると判定するためのモジュールを有し、
前記許可された共用PCが許可されていると判定することは、固有番号識別子を前記許可された共用PCから受信することを含む請求項33に記載の装置。
【請求項３５】
前記DVRにおいて、固有番号識別子を指定するメディア・アプリケーション・プログラムを利用する任意のPCが、前記接続を確立することを許可されているというメッセージを受信するためのモジュールを、さらに有する請求項33に記載の装置。
【請求項３６】
マルチメディアコンテンツに対する前記要求が、メッセージをサービスプロバイダから受信する前記許可された共用PCに応じて、前記許可された共用PCから送られる請求項33に記載の装置。
【請求項３７】
前記サービスプロバイダが、前記要求されたマルチメディアコンテンツが前記DVRの前記記憶デバイス上に格納されていると判定した後、前記サービスプロバイダからの前記メッセージが、前記許可された共用PCに送られる請求項36に記載の装置。
【請求項３８】
前記DVRにおいて、前記要求されたマルチメディアコンテンツをサービスプロバイダから取り出すためのモジュール；および
前記要求されたマルチメディアコンテンツを前記記憶デバイス上に格納するためのモジュールを、さらに有する請求項33に記載の装置。
【請求項３９】
マルチメディアコンテンツに対する前記要求が、メッセージをサービスプロバイダから受信する前記許可された共用PCに応じて、前記許可された共用PCから送られる請求項38に記載の装置。
【請求項４０】
前記DVRにおいて、広告コンテンツをサービスプロバイダから受信するためのモジュール；および
前記広告コンテンツを前記DVRから前記PCに送るためのモジュールを、さらに有する請求項33に記載の装置。
【請求項４１】
前記PCにおいて、前記DVRから前記広告コンテンツを受信するためのモジュール；
前記広告コンテンツをユーザに表示するためのモジュール；および
前記広告コンテンツが、前記ユーザに表示されたことを指示するメッセージを前記PCから前記サービスプロバイダに送るためのモジュールをさらに有する請求項40に記載の装置。
【請求項４２】
前記サービスプロバイダがマルチメディアコンテンツを転送するための遠隔要求を受信した後、前記サービスプロバイダからの前記メッセージが、前記許可された共用PCに送られ；および前記マルチメディアコンテンツを転送するための遠隔要求が、ポータブルデバイスから送られる請求項36に記載の装置。
【請求項４３】
前記マルチメディアコンテンツの前記第2のフォーマットが、任意のMPEG(Motion Pictures Expert Group)フォーマットである請求項33に記載の装置。
【請求項４４】
前記変換するモジュールが、さらに、
追加のデータを前記マルチメディアコンテンツの前記第2のフォーマットにアタッチするためのモジュールを有し、前記追加のデータが前記マルチメディアコンテンツに関する情報を含む請求項39に記載の装置。
【請求項４５】
前記マルチメディアコンテンツの前記第1および第2のフォーマットが、任意のMPEG(Motion Pictures Expert Group)フォーマットである請求項44に記載の装置。
【請求項４６】
前記追加のデータが、前記マルチメディアコンテンツに対するユーザライセンス情報を含む請求項44に記載の装置。
【請求項４７】
前記追加のデータが、前記マルチメディアコンテンツに対する起源情報を含む請求項44に記載の装置。
【請求項４８】
前記変換するモジュールが、さらに、
透かしを前記マルチメディアコンテンツの前記第2のフォーマットにアタッチするためのモジュールを有する請求項33に記載の装置。
【請求項４９】
前記マルチメディアコンテンツの前記第2のフォーマットを前記DVRにおいて暗号化するためのモジュールをさらに有する請求項33に記載の装置。
【請求項５０】
前記DVRにおいて、マルチメディアコンテンツをコンテンツサーバから受信するためのモジュール；および
前記記憶デバイス上に前記マルチメディアコンテンツを格納するためのモジュールをさらに有する請求項33に記載の装置。
【請求項５１】
マルチメディアコンテンツの安全な転送およびプレイバックを提供するための装置であって：
パーソナルコンピュータ(PC)において、特定のデジタルビデオレコーダ(DVR)を許可された共用DVRとして識別するためのモジュール；
前記PCおよび前記許可された共用DVR間で安全な接続を確立するためのモジュール；
特定のマルチメディアコンテンツを前記許可された共用DVRから要求するためのモジュール；
前記PCにおいて、前記要求された特定のマルチメディアコンテンツを前記許可された共用DVRから受信するためのモジュールを有し、前記マルチメディアコンテンツが、前記デジタルデータストリームの形であり；および
前記デジタルデータストリームを前記PCに通信可能に結合された記憶デバイス上に格納するためのモジュールを有する装置。
【請求項５２】
パーソナルコンピューティングデバイス上のプレイバックのために前記デジタルデータストリームを処理するためのモジュールをさらに有する請求項51に記載の装置。
【請求項５３】
前記デジタルデータストリームが、任意のMPEGフォーマットである請求項51に記載の装置。
【請求項５４】
前記特定のDVRを許可されたDVRとして識別するユーザ入力を受信するためのモジュールをさらに有する請求項51に記載の装置。
【請求項５５】
前記特定のDVRを許可されたDVRとして識別するユーザ入力が、前記特定のDVRと関連した固有番号識別子である請求項54に記載の装置。
【請求項５６】
ポータブルデバイスによるプレイバックのための前記受信されたマルチメディアコンテンツをフォーマットするためのモジュール；および
前記フォーマットされたマルチメディアコンテンツをポータブルデバイスに転送するためのモジュールをさらに有する請求項51に記載の装置。
【請求項５７】
前記要求するモジュールが、さらに、
前記許可された共用DVRからの特定のマルチメディアコンテンツの前記転送を要求するサービスプロバイダから、メッセージを受信することに応じて、前記特定のマルチメディアコンテンツを前記許可された共用DVRから要求するためのモジュールを有する請求項51に記載の装置。
【請求項５８】
前記サービスプロバイダが、前記要求されたマルチメディアコンテンツが前記DVRの記憶デバイス上に格納されていると判定した後、前記サービスプロバイダからの前記メッセージが、送られる請求項57に記載の装置。
【請求項５９】
前記許可された共用PCにおいて、マルチメディアコンテンツをポータブルデバイスから受信するためのモジュール；および
前記許可された共用PCにおいて、前記許可された共用PCの前記記憶デバイス上に前記マルチメディアコンテンツを格納するためのモジュールをさらに有する請求項51に記載の装置。
【請求項６０】
マルチメディアコンテンツの安全な転送およびプレイバックを提供するための装置であって：
デジタルビデオレコーダ(DVR)において、ローカルエリアネットワーク(LAN)内のパーソナルコンピュータ(PC)を許可された共用PCとして識別するためのモジュール；
前記DVRおよび前記許可された共用PC間で安全な接続を確立するためのモジュール；
前記DVRにおいて、マルチメディアコンテンツ用の要求を前記許可された共用PCから受信するためのモジュール；
前記DVRにおいて、前記要求されたマルチメディアコンテンツを、前記要求されたマルチメディアコンテンツが第1のフォーマットで格納される前記DVR上の記憶デバイスから取り出すためのモジュール；
前記マルチメディアコンテンツの前記第1のフォーマットを前記DVRから前記許可された共用PCへ送るためのモジュール；
前記PCにおいて、前記マルチメディアコンテンツの前記第1のフォーマットを受信するためのモジュール；および
前記PCにおいて、前記マルチメディアコンテンツの前記第1のフォーマットを前記マルチメディアコンテンツの第2のフォーマットに変換するためのモジュールを有し、前記第2のフォーマットが、コンピュータ可読フォーマットである装置。
【発明の詳細な説明】
【技術分野】
【０００１】
本発明は、コンピュータネットワーク内のデバイス間で、マルチメディアコンテンツを安全に転送すること、およびデバイス内のそのマルチメディアコンテンツを安全にプレイバックすることに関する。
【背景技術】
【０００２】
このセクションに記載されるアプローチは、追求可能であったろうアプローチであるが、必ずしも、以前に考えられた、または追求されたアプローチではない。 従って、特に明記しない限り、このセクションで記載されたアプローチは、本出願の請求項に対する従来技術でない可能性があり、かつこのセクションに含めることにより、従来技術であるとは認められない。
【０００３】
TV視聴者は、ビデオカセット・レコーダー(VCR)を使用して、放送されたTVプログラムを記録することができる。このように、VCRユーザは、特定のTVプログラムを、それが放送される時に記録し、かつ同じ記録されたTVプログラムを、後で再生することができる。このことを達成するために、VCRは、TVプログラムを表す電気信号を、磁気信号に変化させ、かつ磁気信号を、磁気テープ上に格納する。磁気テープは、通常、VCRユーザによりVCRに挿入されるビデオカセットテープの形態である。VCRユーザが、TVプログラムをプレイバックすることを決定するとき、プロセスは、逆にされ、およびVCRは、ビデオカセットテープ上に格納された磁気信号を電気信号に変化させ、かつその電気信号をテレビ受像機へ送る。
【０００４】
【特許文献１】米国特許第6,233,389号明細書
【発明の開示】
【発明が解決しようとする課題】
【０００５】
デジタル技術の発展と共に、VCRは、デジタルビデオレコーダ(DVR)に取って代わられつつある。VCRのように、DVRは、放送されたTVプログラムを、後のプレイバックのために、TVプログラムの電気信号をデジタル情報に変化させることにより記録し、かつデジタル情報を、記憶デバイスに格納する。ユーザが記録されたTVプログラムをプレイバックするとき、DVRは、デジタル情報を元のアナログ信号に変換して戻し、かつ信号を、TVプログラムを視聴者に表示するテレビ受像機へ送る。
【０００６】
DVRは、ますます普及してきており、かつ放送されたTVプログラムを記録するために広く使用されている。記録しかつ記録されたTVプログラムのプレイバックを制御する能力は、便利である一方、DVRユーザは、記録されたTVプログラムを、プログラムを記録した特定のDVRに接続されたテレビ受像機で視聴することを余儀なくされる。別の表現をすると、DVRユーザは、記録されたTVプログラムを、プログラムを記録したDVRから離れた所で視聴することができない。結果として、DVRに典型的な欠点は、複数の場所で、記録されたTVプログラムを視聴することができないことである。しかしながら、DVRユーザは、記録されたTVプログラムを、TVプログラムを記録したDVRから離れた所で見ることを望む。
【０００７】
同時に、TVプログラムを提供するコンテンツ・プロバイダは、著作権のあるプログラムマテリアルを保護し、かつ監視することに関心がある。従って、コンテンツ・プロバイダは、DVRユーザが、自由にTVプログラムを無許可のデバイスへ転送する、または記録されたTVプログラムを他の無許可のDVRユーザに配布することを望まない。
【０００８】
要求されるものは、ユーザが、記録されたTVプログラムおよび他のマルチメディアコンテンツを、DVRからパーソナルコンピュータ(PC)へ転送できる安全な通信システムを確立することである。その上、このようなシステムは、ユーザに、プログラムマテリアル・プロバイダの著作権を保護する安全な方法で、記録されたプログラムを、PCから別のデバイスへ転送する能力を提供するであろう。
【発明を実施するための最良の形態】
【０００９】
本発明は、例えば、添付図面に例示されているが、それらに限定されるものではない。また図中の同様の参照符号は、同様の要素を指している。
【００１０】
マルチメディアコンテンツの安全な転送およびプレイバックを提供するための方法および装置が、記載される。以下の記載において、説明のために、多数の具体的な詳細が、本発明を完全に理解するために説明されている。しかしながら、本発明がこれらの具体的な詳細なしで実施可能であることは明らかであろう。他の例では、周知の構造およびデバイスが、本発明を不必要に不明瞭にすることを避けるために、ブロック図形式で示される。
【００１１】
図面を参照した以下の説明において、いくつかの図面を通して、同じ参照番号は、同じパーツを指す。
【００１２】
実施例は、以下の概略に従って、本明細書に記載される：
1.0     全般的な概要
2.0     構造的概要
3.0     マルチメディアコンテンツの安全な転送およびプレイバックを提供するためのアプローチ
3.1     DVRおよびPC間の安全な接続の確立
3.2     DVRおよびPC間のマルチメディアコンテンツの転送
3.3     内部PESのMPEGへの変換の変換
4.0     実施メカニズ‐ハードウェア概要
5.0     拡張および代替
【００１３】
1.0  全般的な概要
前述の背景技術において確認された必要性、および以下の記載に対して明らかになるであろう他の必要性および目的は、１つの観点において、マルチメディアコンテンツの安全な転送およびプレイバックを提供するための方法を有する、本発明において実現される。DVRユーザは、コンテンツを、DVRからPCへ、さらにハンドヘルドデバイスへ安全に転送することができる手段が提供される。DVRは、発見動作(discovery operation)を実行することによりLAN内のPCおよび他のDVRを識別する能力を備えている。発見を通じて、DVRは、LAN上のどのデバイスが、DVRからコンテンツを共用および／または取り出す許可を得ているかを、判定することができる。LAN上のPCで、メディア・アプリケーション・プログラムは、DVRと通信し、かつDVRからPCへのコンテンツの転送を開始するために使用される。メディア・アプリケーション・プログラムが、PC上にロードされると、それは、ユーザから特定のDVRを識別するための情報を要求する。一実施例の場合、この情報は、DVRと関連付けられたメディア・アクセス鍵の形とすることができる。ユーザがメディア・アクセス鍵をメディア・アプリケーション・プログラムに与えると、プログラムは、LAN上の関連付けられたDVRを見つけ、かつ接続要求をDVRへ送る。
【００１４】
DVRが接続要求を受信すると、それは、例えば、与えられたメディア・アクセス鍵をDVRメディア・アクセス鍵と比較することにより、その要求を認証する。メディア・アクセス鍵が一致する場合、DVRは、公開鍵暗号化またはチューリング暗号化アルゴリズムのような様々な暗号化方法を使用して、DVRおよびPC間の全てのメッセージを暗号化することにより実行可能である、安全な接続をPCと確立する。さらに、DVRは、DVRおよびPC間の全てのメッセージを符号化するために、MD5 (Message Digest-5)またはSHA-1 (Secure Hash Algorithm -1) のようなハッシュアルゴリズムを利用することができる。従って、PCが、メッセージをDVRから受信すると、それは、メッセージをその元のフォーマットに復号するために、適切な暗号化鍵を使用する。
【００１５】
一旦、PCおよびDVRが、安全な接続を確立したら、デバイス間のマルチメディアコンテンツの安全な転送は、可能である。このため、PC上に在るメディア・アプリケーション・プログラムは、DVR上に在るコンテンツのリストを要求かつ視聴するために、および転送用のコンテンツを選択するために、グラフィカル・ユーザ・インタフェースを特徴とする。従って、メディア・アプリケーション・プログラムを使用して、ユーザは、コンテンツのリスティングをDVRから要求する。要求が受信されると、DVRは、コンテンツのリスティングを生成し、かつメディア・アプリケーション・プログラムを介して使用可能なコンテンツをユーザに表示する、PCへリスティングを送る。ユーザは、次に、どのコンテンツをDVRからPCへ転送するかを選択する。ユーザは、記録されたTVプログラム、音楽ファイル、映画、画像、またはDVRがブロードバンド接続を使用してコンテンツサーバからダウンロードしたコンテンツを含むが、これらに限定されない、DVR上に格納可能な任意のコンテンツを選択することができる。
【００１６】
DVRがコンテンツを転送する要求を受信すると、それは、コンテンツを捜し出し、かつコンテンツの内部フォーマットをデジタルデータストリームに変換することにより、PCへの転送用コンテンツを準備するプロセスを始める。この時点で、DVRは、デジタルデータストリームにコンテンツおよびライセンシングデータのような追加のデータをアタッチすることができる。一実施例の場合、DVRは、PCの使用に対して安全な配信のために、例えば、チューリング暗号化アルゴリズムを使用して、デジタルデータストリームを、さらに暗号化することができる。また、DVRは、SHA-1暗号化鍵を生成するために、DVRのMACアドレスのSHA-1 (Secure Hash Algorithm -1)を使用して、デジタルデータストリームを符号化することができる。次に、DVRは、デジタルデータストリームを、デジタルデータストリームを復号かつ記憶デバイスに格納するPCへ送る。DVRが、プログラムストリームをPCへ送っている間、メディア・アプリケーション・プログラムは、転送状況情報を表示することにより、ユーザが転送の進行を追跡することを可能にする。さらに、一旦、PCがデジタルデータストリームを受信すると、PCは、データストリームを変換し、かつポータブルデバイスへ送る。
【００１７】
別の実施例の場合、PCは、ユーザにDVRからPCへの転送をスケジュールしてもらうことにより、ユーザとの対話無しに、コンテンツをDVRから自動的に取り出すことができる。さらに、PCは、それが受信する任意のコンテンツを、ポータブルデバイスと自動的に同期させることができる。ユーザは、PCまたはポータブルデバイスを介してアクセス可能なサービスプロバイダウェブサイトを通したコンテンツの取り出しをスケジュールすることができる。システムのブロードバンド・アプリケーションも、また可能である。システムのこのようなアプリケーションにおいて、コンテンツサーバは、DVRが、インターネットのようなブロードバンドネットワークにわたって転送されかつDVR上で視聴されるべきコンテンツを選択することを可能にする。
【００１８】
他の観点において、本発明は、前述のステップを実行するように構成された、コンピュータ装置およびコンピュータ可読媒体を含む。
【００１９】
2.0   構造的概要
図1Aを参照すると、一実施例により、DVRおよびPC間でコンテンツを共用するための通信システムが、示される。通信システムは、DVR 102A、102Bおよび104を有する。DVR102A、102Bおよび104は、イーサネット（登録商標）または無線通信ポートのような任意の適切な通信インタフェースを通して、ローカルエリアネットワーク(LAN) 105へ通信可能に結合される。PC 101は、デスクトップまたはラップトップコンピュータのようなパーソナルコンピューティングデバイスであることが可能であり、かつ任意の適切なインタフェースを通して、LAN 105へ通信可能に結合される。ポータブルデバイス 101Aは、PCまたはLAN 105へ通信可能に結合されても良い。一実施例の場合、ポータブルデバイス 101Aは、マルチメディアコンテンツを表示するために、ハンドヘルドコンピューティングデバイス、携帯電話、ポータブルメディアプレイヤ等であることが可能である。LAN 105およびインターネット107を通して、 DVR 102Aおよび102Bは、サービスプロバイダ106Aおよびコンテンツサーバ 106Bと通信することができる。
【００２０】
コンテンツサーバ106Bは、ネットワーク接続にわたって、マルチメディアコンテンツをDVRへ提供する。例えば、DVR 102Aは、本明細書に記載された方法を使用して、接続されたテレビ受像機上でのプレイバックのために、またはPC 101への転送のために、コンテンツをコンテンツサーバ 106Bからダウンロードすることができる。
【００２１】
この具体例において、PC 101、DVR 102Aおよび102B、およびポータブルデバイス101Aは全て、ホームネットワーク190上の許可された共用デバイスである。PC 110およびDVR 104は、LAN 105にアタッチされた無許可の共用デバイスであっても良い。
【００２２】
一実施例の場合、ホームネットワーク190上に設置されたDVR 102Aは、サービスプロバイダ 106Aと通信する。このサービスプロバイダは、プログラムガイドデータ、グラフィカルリソース（例えば、フォント、ピクチャ等）、サービス情報、ソフトウェアプログラム、広告、およびDVR 102Aが視聴者の興味を満足させるために、サービスプロバイダ 106とは関係なく動作することを可能にする他の形のデータを提供する。DVR 102Aおよびサービスプロバイダ 106間の通信は、サービスデータとユーザのプライバシの両方が保護されるように、DVR 102Aおよびサービスプロバイダ 106A間でデータを転送するために、安全な配布アーキテクチャ(distribution architecture)を利用する。DVRの機能性は、本出願人が所有権を持ち、かつ本明細書に参照として組み込まれる、特許文献1に代表される。
【００２３】
図1Bを参照すると、実施例の場合、DVR 102Aは、一般に、アナログテレビジョン信号をデジタル化しかつそれをデジタルデータストリームに変換する、またはデジタルデータストリームを受け入れるために必要な、信号変換器154で示される複数の構成要素を有する。 DVR 102Aは、ブロードキャスト信号を、アンテナ、ケーブルTVシステム、衛星受信機等から、入力 152Aを介して受信する。入力 152Aは、複数の信号が、同時に受信かつ記録されることを可能にする複数の同調モジュールを有することができる。
【００２４】
記録モジュール 160は、デジタルデータストリームのセグメントを保存するように設計されている記憶(Storage) 164で示される、少なくとも１つの記憶装置にデジタルデータストリームを格納することにより、入ってくるデータストリームを記録する。信号変換器154は、データストリームのセグメントを取り出し、データストリームをアナログ信号に変換し、次に、それを通して信号が標準テレビ受像機に配信される出力 152Bを介して、信号をRF 搬送波上に変調する。出力 152Bは、これに代えて、デジタル信号をテレビ受像機またはビデオ・モニタへ配信することができる。例えば、DVR 102Aは、デジタル信号をDVIケーブルを介してTVに送るためのデジタル・ビデオ・インタフェース・ポート (DVI)を利用することができる。
【００２５】
DVR 102Aは、また、DVR 102Aが、それを通して、イーサネット（登録商標）、無線ネットワーク、モデム、または他の通信標準を介して、ネットワーク 105と通信する、通信インタフェース 162を含む。さらに、DVR 102Aは、上記構成要素がDVR 102Aの各構成要素の機能を実行することが可能なテレビ受像機に収容されるように、TVシステムに統合可能である。
【００２６】
別の実施例の場合、DVR 102Aは、一般に、デジタルデータ信号を、PC、DVR、サービスプロバイダ、またはコンテンツサーバ等の複数のソースから、受信し、記録し、格納し、転送し、およびプレイバックするために必要な複数の構成要素を有する。DVR 102Aは、デジタルデータ信号を別の DVRまたはPCへ転送することができる。DVR 102Aは、デジタル信号を、エンコーダ 156Aおよびデコーダ 156Bを介して、プレイバック、記憶または転送のために複数のフォーマットに、エンコードするまたはデコードすることができる。DVR 102Aは、また、デジタルデータ信号の記憶、転送またはプレイバックのためにエンクリプタ／デクリプタ 158を使用して、デジタルデータ信号を暗号化または復号することができる。
【００２７】
DVR 102Aは、サービスプロバイダ 106Aの着信呼モデムバンクにダイヤルするために、通信インタフェース 162で示される内部電話モデムを使用して、サービスプロバイダ 106Aまたはコンテンツサーバ 106Bに直接接続可能である。これに代えて、通信インタフェース 162を通して、DVR 102Aは、インターネット 107を通して次にサービスプロバイダ 106Aおよびコンテンツサーバ 106Bに接続されるローカルエリアネットワーク (LAN) 105を介して、サービスプロバイダ 106Aまたはコンテンツサーバ 106Bに間接的に接続可能である。LAN 105 は、LAN 105上に在る多数のデバイスがインターネット 107に接続できるように、ケーブルモデムまたはルータを使用して、インターネット 107に接続可能である。
【００２８】
DVR 102Aは、ホームネットワーク 190上のローカルIPアドレスを取得するために、LANルータと通信することにより、LAN 105への接続を開始する。DVRは、また、内部モデムおよび電話回線を使用して、インターネットサービスプロバイダ (ISP)用のローカルアクセス電話番号に電話をすることにより、インターネット 107への接続を開始することができる。ISPは、識別・検証のために、ネットワーク接続要求をサービスプロバイダ 106へ向けて送信する。検証次第、ネットワーク接続は、許可され、かつDVR 102Aは、サービスプロバイダ 106Aへのアクセスを認可される。
【００２９】
ユーザのPC 101上で、メディア・アプリケーション・プログラムは、１つ以上のDVRと通信するために、個別に、コーディングされ、かつマルチメディアコンテンツを暗号化かつ復号するために機能する。メディア・アプリケーション・プログラムは、各共用するDVR上のコンテンツを視聴し、かつ取り出すためのコンテンツを選択するために、ユーザ・インタフェースを提供する。さらに、メディア・アプリケーション・プログラムは、LAN 105上の共用するPCおよびDVRのネットワークを設定するために、グラフィカル・ユーザ・インタフェースを提供することができる。
【００３０】
3.0  マルチメディアコンテンツの安全な転送およびプレイバックを提供するためのアプローチ
3.1  DVRおよびPC間での安全な接続の確立
各 DVR 102A、102Bは、LAN上の他のデバイスを見つけかつ安全な接続確立するために、発見ステージを通って実行する。発見は、任意の適切な発見プロトコル（例えば、アップル・コンピュータによる Rendezvous）を使用して、実行可能であり、および指定された時間間隔でまたはユーザの要求で自動的に実行するようにセット可能である。発見の間、DVR 102Aは、LAN 105上に隣接したDVR 102B、104 およびPC 101、110を見つけ、かつ許可された共用デバイスとして１つ以上のデバイスを識別することができる。例えば、DVR 102Aは、DVR 102Bを許可された共用デバイスとして識別することができ、さらにDVR 104を無許可のデバイスとして認識する。従って、DVR 104によるDVR 102Aのコンテンツを要求する任意の試みは、を拒否されるであろう。LAN 105にアタッチされた、どのデバイスが許可された共用デバイスであるかを判定するために、DVR 102Aは、サービスプロバイダ 106Aにより提供されたデジタル共用証明書を調べることができる。
【００３１】
DVR 102Aにデジタル共用証明書を与えるために、ユーザは、サービスプロバイダ 106Aウェブサイトにログオンし、彼が許可された共用デバイスとして考慮されることを望むデバイスの記録を作成する。任意の適切なユーザ・インタフェースを使用して、ユーザは、サービスプロバイダ 106が、そのデータベースを通して、またはユーザが以前に入力した情報を捜し出すことにより検証することができる、彼が含まれることを望むデバイスのシリアルナンバーまたはMACアドレスを入力する。その後、サービスプロバイダ 106Aは、ユーザの許可された共用デバイスを識別するデジタル共用証明書を作成する。証明書は、各デバイスのシリアルナンバー、MACアドレス、および対応する公開鍵を含むことができる。これに代えて、証明書は、DVRまたはPCを識別するための任意の他の固有の情報を含むことができる。
【００３２】
デジタル共用証明書は、DVRに、それがデジタル共用証明書内でリストにされている他のDVRとその格納されたコンテンツを共用することができることを知らせることができ、さらにこれらのDVRからコンテンツを取り出すことができる。それは、また、DVRに、一旦、PCが、それがDVRのプライベート情報、例えば、そのメディア・アクセス鍵またはMACアドレスを知っていることを確認すると、DVRは、その格納されたコンテンツをPCと共用することができることを知らせることができる。DVRは、（さらに安全な環境を提供するために）それ自身を単一のPCとペアにすることができる、またはそれは、サービスプロバイダ 106AがDVRをどのように構成するかによって、それ自身を多数のPCとペアにすることができる。
【００３３】
サービスプロバイダ106Aは、デジタル共用証明書を、デジタル共用証明書にリストにされているDVRに配布する。DVRは、典型的には、それらが、それらの電子プログラムガイドに対する任意のアップデートまたはソフトウェアアップデートのために、サービスプロバイダ 106Aとそれらの定期的なコンタクトを行う時、デジタル共用証明書を受信する。サービスプロバイダ 106Aは、さらに、DVRが、インターネット 107に接続された場合、デジタル共用証明書をDVRにインターネット107を介してプッシュすることも可能である。
【００３４】
動作中、DVR 104が、DVR 102A上に格納されたマルチメディアコンテンツのリストをDVR 102Aから要求する場合、DVR 102Aは、そのデジタル共用証明書をチェックし、DVR 104が、許可された共用デバイスとしてリストにされていないことを見つける。DVR 102Aは、次に、マルチメディアコンテンツに対するDVR 104の要求を却下する。
【００３５】
ユーザは、特定のDVR、例えば、DVR 102Aが、コンテンツをローカルエリアネットワークにわたって、または特に、ユーザのPC 101と共用可能であることを、指定することができる。その後、DVR 102Aが、次に、サービスプロバイダ 106Aにコンタクトする時、サービスプロバイダは、DVR 102Aに、それにコンテンツをLAN 105にわたって共用することを可能にさせる、メッセージを送る。DVR 102Aは、DVRのメディア・アクセス鍵に一致するメディア・アクセス鍵を指定する任意のデバイスからの接続を受け入れることができる。
【００３６】
PC 101上で、メディア・アプリケーション・プログラムは、特に、任意のDVR 102A、102B、104と通信するために、コーディングされ、およびコンテンツを暗号化しかつ復号するために機能する。メディア・アプリケーション・プログラムは、各共用DVR 102A、102B上でコンテンツを視聴するために、かつ取り出すためのコンテンツを選択するために、ユーザ・インタフェースを提供する。さらに、メディア・アプリケーション・プログラムは、ユーザのLAN上の共用PCおよびDVRのネットワークを設定するために、インタフェースを提供することができる。このようなインタフェースを使用して、ユーザは、ホームネットワーク 109上に在る任意のPCまたはDVRを識別し、かつ許可された共用デバイスとして特定のPCまたはDVRを選択することができる。メディア・アプリケーション・プログラムの別の機能は、ポータブルデバイス 101Aへの転送のために、マルチメディアコンテンツをエンコードする、またはトランスコードすることである。
【００３７】
PC 101が、そのメディア・アプリケーション・プログラムをロードする時、プログラムは、Rendezvousを使用して、例えば、LAN 105上の隣接したDVR 102A、102Bおよび 104の発見を実行する。発見の間、PCは、１つ以上の許可された共用DVR 102A、102Bを識別することができる。他の本発明の実施例の場合、ユーザは、メディア・アプリケーション・プログラムに、LAN 105上の許可された共用DVRとして特定のDVRを識別する情報を与えることができる。このような識別情報は、メディア・アクセス鍵、シリアルナンバー、またはDVRの任意の他の固有の識別であることが可能である。従って、PCが発見を実行する時、PCは、許可された共用DVR 102A、102Bとして指定されたこれらのDVRのみをサーチすることができる。
【００３８】
他の実施例の場合、PC 101が、メディア・アプリケーション・プログラムをロードする時、メディア・アプリケーション・プログラムは、PC 101のユーザを許可するために、ユーザ情報を要求することができる。例えば、メディア・アプリケーション・プログラムは、メディア・アプリケーション・プログラムにアクセスするためにサービスプロバイダ 106Aにより与えられた、またはユーザがメディア・アプリケーション・プログラムを初期化した時、ユーザにより最初に設定されたユーザIDおよびパスワードを要求することができる。ユーザが彼の情報を入力する時、メディア・アプリケーション・プログラムは、ユーザがプログラムを使用することを許可されているかを判定するために、与えられた情報をメディア・アプリケーション・プログラムにより保管された情報と比較する。
【００３９】
さらに、メディア・アプリケーション・プログラムは、ユーザがメディア・アプリケーション・プログラムをDVR 102Aとペアにする試みる時、LAN 105上のDVR 102Aと関連したメディア・アクセス鍵を要求することができる。一実施例の場合、各 DVR 102A、102Bおよび104は、DVR上に格納されたコンテンツにアクセスするために使用される固有のメディア・アクセス鍵に関連付けられる。メディア・アクセス鍵は、DVRのユーザ・インタフェースを通して、アクセス可能とすることができる。他の実施例の場合、DVR 102Aのためのメディア・アクセス鍵は、サービスプロバイダ 106Aによりユーザに提供可能である。例えば、ユーザは、サービスプロバイダ 106Aのウェブサイトにアクセスし、かつユーザ名およびパスワードをサービスプロバイダ 106Aに与えることにより、DVR 102Aのためのメディア・アクセス鍵を取得する。
【００４０】
図2は、一実施例に従う、DVR 102Aおよび PC 101間で安全な接続を確立するためのプロセスを示すフローチャートである。ステップ 202において、PC 101は、メディア・アプリケーション・プログラムをロードする。メディアアプリケーションがPC 101上にロードされるのは、これが、初めてであると判定される場合、メディア・アプリケーション・プログラムは、メディア・アプリケーション・プログラムが格納されたコンテンツのリストをDVRから取り出すために、PC 101の表示を使用しているユーザからメディア・アクセス鍵を要求する。さらに、ユーザがその特定のメディア・アプリケーション・プログラムのために、共用DVRの彼のリストに新しいDVR 102Bを追加していることが判定される場合、メディア・アプリケーション・プログラムは、メディア・アクセス鍵をユーザから要求することができる。
【００４１】
ステップ206において、ユーザがメディア・アクセス鍵をメディア・アプリケーション・プログラムに与えると、メディア・アプリケーション・プログラムは、LAN 105上で、与えられたメディア・アクセス鍵と関連付けられたDVR 102Aを捜し出す。一旦、選択されたDVR 102Aが、捜し出されると、メディア・アプリケーション・プログラムは、PC 101に、接続要求をDVR 102Aに送らせる。PC 101 は、認証のために、与えられたメディア・アクセス鍵と共に、接続要求を送る。他の実施例の場合、PC 101は、認証の任意の他の受け入れ可能な形式を使用することができる。
【００４２】
ステップ203において、接続要求を受信する前、DVR 102Aは、コンテンツをLAN 105にわたって共用することを許可されるかを判定したであろう。例えば、DVR 102Aは、例えば、サービスプロバイダ 106Aから、デジタル共用証明書での許可通知を受信した後、LAN 105にわたってコンテンツを共用することを許可されると判定することができる。DVR 102Aが、LAN 105にわたってコンテンツを共用することを許可されないと判定する場合、DVR 102Aは、すべての入ってくる接続を拒絶する。
【００４３】
そうでなければ、ステップ209において、DVR 102Aは、そのマルチメディアコンテンツを共用することを許可され、かつ接続要求をPC 101から受信する。一実施例の場合、DVRは、DVR 102AがDVRのメディア・アクセス鍵を正しく指示する任意のPCとペアになることを指示する通知をサービスプロバイダ 106Aから受信する。別の実施例の場合、DVRは、DVRがDVRのローカルエリアネットワーク内でPC 101をさらに捜し出すことを要求するような、追加のパラメータを要求することができる。
【００４４】
次に、ステップ 211において、DVR 102Aは、PC 101により与えられたメディア・アクセス鍵をDVR自身のメディア・アクセス鍵と比較することにより、接続要求を認証する。鍵が一致する場合、DVR 102Aは、肯定応答をPC 101へ送ることにより、安全な接続を確立することができる。
【００４５】
その上、安全な接続確立するために、DVR 102Aは、DVRおよびPC間で全てのメッセージを暗号化するために、公開暗号化鍵を指定することができる。従って、PC 101が肯定応答をDVR 102Aから受信する時、PCは、DVR 102Aの公開暗号化鍵を有するであろうし、かつ鍵を使用して、安全なメッセージをDVR 102Aへ送ることができる。さらに、PC 101は、また、DVR 102Aが安全なメッセージをPC 101へ送ることができるように、その自身の公開暗号化鍵をDVR 102Aに送ることができる。従って、安全な接続は、DVR 102AおよびPC 101間で、確立される。これに代えて、安全な接続は、任意の使用可能な暗号化アルゴリズム、例えば、チューリング暗号化アルゴリズム(Turing encryption algorithm)を使用して、確立可能である。また、安全な接続は、暗号化鍵システムを使用して、確立可能である。このようなシステムにおいて、メッセージには、MD5 (Message Digest 5)アルゴリズムまたはデバイスのMACアドレスの安全なハッシュアルゴリズム-1 (SHA-1)を使用して生成された暗号化鍵で、符号化可能である。生成された暗号化鍵は、次に、符号化されたメッセージをそれらの元のフォーマットに復号するために、DVR 102AまたはPC 101により使用される。
【００４６】
最初に、メディア・アプリケーション・プログラムは、そのDVRと関連付けられたメディア・アクセス鍵を使用して、１つのDVRとペアになるように構成可能である。別の実施例の場合、メディア・アプリケーション・プログラムは、LAN 105上の2個以上のDVRと通信するように、構成可能である。メディア・アプリケーション・プログラムは、LAN 105上の複数のDVRに対応する複数のメディア・アクセス鍵を入力する能力を提供することができる。この具体例の場合、メディア・アプリケーション・プログラムは、PC 101が、DVR 102AとDVR 102Bの両方と安全な接続を確立することは、可能である。
【００４７】
これに代えて、1つのDVRと安全な接続を確立した後、メディア・アプリケーション・プログラムは、ユーザのLAN上の全ての許可された共用DVRを識別することができる。例えば、一実施例の場合、PCが安全な接続を第一のDVRと確立した時、第一のDVRは、PCに共用証明書を与える。この共用証明書は、サービスプロバイダ106A、またはこれに代えて、別のDVRにより、提供されているかもしれない。共用証明書は、コンテンツを共用することを許可されるユーザのLAN上の全てのDVRを識別し、さらに各DVRのメディア・アクセス鍵を含むことも可能である。一実施例の場合、サービスプロバイダ 106Aは、ユーザがサービスプロバイダ 106Aのウェブサイト上の許可された共用DVRを選択した後、共用証明書をPCへ送る。これに従い、サービスプロバイダ 106Aは、共用証明書を作成し、かつそれをPC 101へインターネット107を通して転送する。別の実施例の場合、PCメディア・アプリケーション・プログラムは、共用証明書を最初にペアにされたDVR 102Aから取り出すことができる。
【００４８】
3.2  DVRおよびPC間でのマルチメディアコンテンツの転送
一旦、PC 101とDVR 102Aが接続を確立した場合、デバイス間のマルチメディアコンテンツの安全な転送は、可能である。コンテンツの安全な転送は、DVR 102AからPC 101へ、またはPC 101からDVR 102Aへ確立可能である。
【００４９】
図3を参照すると、ステップ302において、一旦、接続が確立された場合、PC 101上でメディア・アプリケーション・プログラムを利用しているユーザは、DVR 102Aのコンテンツが、ユーザに表示されることを要求することができる。これに代えて、メディア・アプリケーション・プログラムは、コンテンツに対する要求を自動的に生成することができ、かつメディア・アプリケーション・プログラムがPC 101上にロードされる毎に、それをDVR 102Aへ送ることができる。次に、ステップ303において、DVR 102Aがコンテンツに対する要求を受信する時、それは、DVR 102A上に格納されたマルチメディアコンテンツをリストしているデータを生成し、かつDVR 102A上で使用可能なコンテンツのリスティングを含むメタデータを含むPC 101へパケットを送る。ステップ 306において、メディア・アプリケーション・プログラムがパケットを受信する時、それは、ステップ308において、使用可能なコンテンツをユーザにユーザ・インタフェースを介して表示する。
【００５０】
図3Bを参照すると、一実施例に従う、メディア・アプリケーション・プログラムのユーザ・インタフェースが、表示されている。プログラムウィンドウ 350において、メディア・アプリケーション・プログラムは、ユーザに、DVR 102A上に格納されたコンテンツ 358のリストを提示する。ユーザは、特定のプログラムをコンテンツ 358のリストから選択することができ、および、ボタン 352を選択することにより、メディア・アプリケーション・プログラムに、選択されたプログラムをDVR 102AからPC 101へ転送するための要求を生成させる。メディア・アプリケーション・プログラムは、次に、転送を開始するために、この要求をDVR 102Aへ送る。
【００５１】
一旦、転送が開始された場合、プログラムウィンドウ 350は、転送状況情報354を表示することにより、ユーザが転送の進行を追跡することを可能にする。転送状況情報 354は、転送されているマルチメディアコンテンツの量、並びに転送を完了するために残っている時間を含むことができる。コンテンツリスト 358を使用すると、ユーザは、特定のマルチメディアコンテンツを選択し、かつ情報ウィンドウ 356内で、特定のマルチメディアコンテンツの詳細な情報を視聴することができる。情報ウィンドウ356は、特定のマルチメディアコンテンツのタイトル、解説、時間の長さおよびレーティングを含む、マルチメディアコンテンツに関係する情報を含むことができる。さらに、情報ウィンドウ 356は、制御ボタン356Aおよび356Bを含むことができる。例えば、Playボタン356Aは、ユーザが、選択されたマルチメディアコンテンツをユーザのPC 101上で再生することを可能にし、および Stop transferボタン 36Bは、ユーザが、DVR 102A からPC 101へのマルチメディアコンテンツの転送を停止することを可能にする。
【００５２】
図3Aに戻って参照すると、ステップ310 Aにおいて、メディア・アプリケーション・プログラムを使用すると、ユーザは、DVR 102A上の使用可能なコンテンツ 358のリストから、マルチメディアを選択することができる。要求されたマルチメディアコンテンツは、フルモーションビデオプログラム、音声コンテンツ、ピクチャコンテンツ、またはDVR 102A上に格納可能な任意の他のコンテンツであることが可能である。310Bにおいて、メディア・アプリケーション・プログラムは、次に、PC 101からDVR 102Aへ要求を送る。DVR 102Aは、ステップ311において、要求を受信し、かつDVRのメモリまたはDVR 102Aによりアクセス可能な他の記憶メカニズムに格納可能なコンテンツを捜し出す。一旦、DVR 102Aが要求されたマルチメディアコンテンツを捜し出した場合、DVR 102Aは、PC 101への転送用のコンテンツを準備するプロセスを始める。
【００５３】
PCがマルチメディアコンテンツを適切に読み取りかつ解釈実行するために、DVR 102Aは、マルチメディアコンテンツのその内部表現をコンピュータにより読み取り可能なプログラムストリームに変換することができる。一実施例の場合、マルチメディアコンテンツの内部表現は、PCにより読み取り可能でない内部PES(Packetized Elementary Stream)フォーマットである。内部PESフォーマットの詳細は、本出願人が所有権を持ち、かつ本明細書に参照として組み込まれる、特許文献1により代表される。また、コンピュータにより読み取り可能な1つのプログラムストリームフォーマットは、MPEG (Motion Picture Experts Group)フォーマットであり、この内のMPEG-2およびMPEG-4は、代表的な一般に使用されているフォーマットである。これに代えて、他のデジタルフォーマットが、使用されても良い。
【００５４】
従って、ステップ313において、DVR 102Aは、要求されたマルチメディアコンテンツの内部PESフォーマットをMPEGプログラムストリームに変換する。他の実施例の場合、DVR 102Aは、内部PESフォーマットを、PC 101により読み取利可能な任意のフォーマットに変換することができる。これに代えて、内部PESからMPEGプログラムストリームへの変換は、PCにおいて、行われることが可能である。従って、DVR 102Aは、後に記載するような任意の追加のデータを含む、その内部PESフォーマットを、PC 101へ送る。具体例を提供するために、内部PESフォーマットをMPEGプログラムストリームに変換するプロセスは、図5に例示され、かつセクション Eで、以下に記載される。
【００５５】
変換後、ステップ315において、DVR 102Aは、追加のデータをMPEGプログラムストリームにアタッチすることができる。変換がPCで起こる場合、DVR 102Aは、それをPC 101に送る前に、追加のデータをマルチメディアコンテンツの内部PESフォーマットにアタッチすることができる。何れの場合も、その追加のデータは、例えば、要求されたマルチメディアコンテンツの情報を有するコンテンツデータであることが可能である。さらに、他の実施例の場合、DVR 102Aは、ライセンシングデータのような追加のデータをアタッチすることができる。ライセンシングデータは、マルチメディアコンテンツを格納しかつ再生するユーザの能力に関係する情報を含むことができる。例えば、ユーザは、PC上にコンテンツを3日間だけ格納することに限定することができる。
【００５６】
図4は、一実施例に従う、MPEGコンテンツストリーム 400の全般的な概要である。MPEGコンテンツストリーム 405は、要求されたマルチメディアコンテンツを表すデータを含む。MPEGコンテンツストリーム 405は、PC 101により読み取り可能なフォーマットのインタリーブされたビデオ 405A、音声 405Bおよびデータパケットから構成される。追加のデータ 401〜404は、PC 101への転送のために、MPEGコンテンツストリーム 405にアタッチ可能である。
【００５７】
一実施例の場合、追加のデータは、メタデータ 401、公開メタデータ 402、プライベートメタデータ 403およびライセンスデータ 404を有することができる。例えば、メタデータ 401および公開メタデータ 402は、再生可能なコンテンツ名、時間の長さ、コマーシャルのようなコンテンツそれ自体に関する情報および他のコンテンツ注記を含むことができる。プライベートメタデータ 403は、ペイ・パー・ヴュー方式の映画のための顧客情報、顧客課金情報、顧客好み等の他の情報を含むことができる。ライセンスデータ 404は、プレイバック制限または記憶制限を含む、ユーザライセンス制限に関する情報を含むことができる。
【００５８】
これに代えて、ライセンシングデータは、一旦、指示された満了日または時間が過ぎた場合、PC 101上で動作しているメディア・アプリケーション・プログラムが、転送されたコンテンツをPCの記憶デバイスから削除または消去するように、コンテンツに対する満了日または時間を指示することができる。これに代えて、このような満了日の経過は、メディア・アプリケーション・プログラムに、マルチメディアコンテンツの満了を指示するメッセージをユーザに表示させることが可能である。さらに、ライセンシングデータは、一旦、ユーザが視聴制限を超えた場合、PC 101が、PCの記憶からコンテンツを削除するであろうように、マルチメディアコンテンツを視聴できる時間の量を指示することができる。
【００５９】
別の実施例の場合、追加のデータは、DVR起源データ(origin data)を有することができる。例えば、MPEGコンテンツストリーム 405は、DVR 102AのシリアルナンバーまたはMACアドレスのような情報を有することができる。さらに、DVR起源データは、DVR 102Aのプライベート鍵を使用して、著名を含むことができる。
【００６０】
別の実施例の場合、DVRは、また、固有の透かしをプログラムストリーム内のデータに追加することができる。例えば、DVR 102Aは、DVR 102Aのシリアルナンバーを表すデータを挿入することにより、プログラムストリーム 400を修正することができる。ビデオまたは写真コンテンツの場合、透かしは、マルチメディアコンテンツがプレイバックされる時、発信DVRの情報が、スクリーン上に押し付けがましくない方法で表示されるように、可視であることが可能である。これに代えて、透かしは、透かしデータが、プログラムストリーム内に隠されるが、それにもかかわらず検証には使用可能であるように、ユーザに不可視または感知できないようにすることが可能である。
【００６１】
図3に戻って参照すると、DVR 102Aが、追加のデータをプログラムストリーム 400にアタッチした後、ステップ317において、DVR 102Aは、DVRおよびPC間のメッセージに対して上述された同じ方法で、PC 101への安全な配信のために、プログラムストリームを暗号化することができる。DVR 102Aは、全部のプログラムストリーム 400を、または、これに代えて、MPEGコンテンツストリーム 405およびプライベートメタデータ 403のようなプログラムストリーム 400の特定の部分のみを、暗号化することを決定することができる。
【００６２】
ステップ 319において、DVR 102Aは、プログラムストリームをPC 101へ送る。PC 101がプログラムストリームを受信する時、ステップ322において、それは、プログラムストリーム 400を上述のように復号する。これに代えて、DVR 102Aが異なる暗号化アルゴリズムを使用した場合、PC 101は、プログラムストリーム 400を復号するために、夫々のアルゴリズムを使用できる。PC 101がプログラムストリームを復号した後、PC 101は、プログラムストリームをPCのローカルな、または取り外し可能な記憶デバイスに格納することができる。
【００６３】
これに代えて、別の実施例の場合、PC 101が、暗号化されたプログラムストリームをDVR 102Aから受信する時、PC 101は、復号プロセスを通って実行することなく、暗号化されたプログラムストリームを、PCのローカルなまたは取り外し可能な記憶デバイスに、直接、格納することができる。その後、PC 101は、マルチメディアコンテンツのプレイバック中に、適切な復号鍵を使用して、暗号化されたプログラムストリームを取り出しかつ復号する。従って、ユーザが、マルチメディアコンテンツをプレイバックすることを要求する時、プログラムストリームは、記憶デバイスから、取り出され、復号され、かつユーザに表示される。
【００６４】
プレイバック中に、PC 101は、コンテンツ情報を表示するために、またはコンテンツのプレイバックを許可するライセンスチェックを実行するために、プログラムストリーム 400の追加のデータ 401〜404を利用することができる。また、一旦、プログラムストリームが、復号されかつ格納された時、PC 101は、マルチメディアコンテンツを、ポータブルデバイス 101Aのような別のデバイスへ転送することができる。ポータブルデバイス 101Aへの転送は、任意の手段により、達成可能である。例えば、メディア・アプリケーション・プログラムは、PC 101上に格納されたマルチメディアコンテンツをポータブルデバイス 101Aと同期させるためのオプションを提供できる。同期は、LAN 105にわたって、または直接シリアルケーブルまたは無線インタフェースを通して起こることが可能である。さらに、ポータブルデバイス 101A上の正しいプレイバックのために、PC 101は、さらに、それをポータブルデバイス 101Aにより読み取り可能なフォーマットに変換することにより、格納されたプログラムストリームをトランスコードすることができる。
【００６５】
別の実施例の場合、PC 101は、ユーザが、彼のDVR 102Aを使用してアクセスしたいマルチメディアコンテンツを格納できる。上記のように、PC 101とDVR 102Aが安全な接続を確立した後、DVR 102Aは、マルチメディアコンテンツをPC 101から要求することができる。DVR 102A上のグラフィカル・インタフェースを使用して、ユーザは、PC 101からの取り出しのために、マルチメディアコンテンツを選択することができる。PC上のマルチメディアコンテンツは、コンテンツサーバ 106Bからダウンロードされたコンテンツ、別のDVR 102Bからのコンテンツ、またはユーザによりすでに所有されかつPC 101上に格納されたマルチメディアコンテンツであっても良い。さらに、マルチメディアコンテンツは、ポータブルデバイス 101Aにより与えられたコンテンツであっても良い。一実施例の場合、ポータブルデバイス 101Aは、ビデオコンテンツを記録、格納かつプレイバックする能力を備えるビデオ対応電話である。このように、ポータブルデバイス 101Aは、格納されたビデオプログラムを、次に、ビデオプログラムをDVR 102Aへ転送するPC 101へ転送することができる。他の実施例の場合、ポータブルデバイス 101Aは、マルチメディアコンテンツをPC 101へ転送することが可能な任意のデバイスである可能性がある。
【００６６】
PC 101からDVR 102Aへコンテンツを転送するために、DVRからPCへコンテンツを転送する上記プロセスは、逆にされる。しかしながら、プログラムストリームを変換する代わりに、PC 101は、単に、MPEGプログラムストリームを暗号化して、それをDVR 102Aに送る。DVR 102AがMPEG プログラムストリームを受信する時、それは、例えば、上記PES‐MPEG変換プロセスを逆にすることにより、ストリームを復号し、かつそれを内部PESフォーマットに変換する。これに代えて、DVRは、MPEGプログラムストリームをその記憶デバイスに、変換または復号無しで、格納することができる。
【００６７】
さらに別の実施例の場合、ユーザは、PC 101にコンテンツをDVR 102Aから自動的に取り出させることにより、上記プロセスを自動化することができる。例えば、PC 101上のメディア・アプリケーション・プログラムを使用して、ユーザは、コンテンツを取り出すための予め判定された時間をセットすることにより、DVR 102Aからのマルチメディアコンテンツの取り出しをスケジュールすることができる。取り出しのための時間になった時、メディア・アプリケーション・プログラムは、コンテンツをDVR 102Aから自動的に要求する。コンテンツを取り出すための時間をスケジュールすることと組み合わせて、ユーザは、また、取り出すべき特定のマルチメディアコンテンツを指定することができる。従って、メディア・アプリケーション・プログラムは、DVR 102A上にユーザによって指定された記録されたコンテンツの全てを、週に1回取り出すようにプログラム可能であり、PC 101上のコンテンツをDVR 102A上のそれと効果的に同期させることができる。これに代えて、ユーザは、特定のマルチメディアコンテンツのみがDVR 102Aから自動的に取り出されることを要求することができる。一具体例において、特定のマルチメディアコンテンツは、特定のTVプログラムまたは一連の特定のTVプログラムであることが可能である。
【００６８】
ユーザがDVRによりまだ記録されていないマルチメディアコンテンツの取り出しをスケジュールしたい場合、メディア・アプリケーション・プログラムは、DVR 102Aに、特定のプログラムを記録させ、続いて記録されたコンテンツをPC 101へ転送させるために機能する。PC 101上のメディア・アプリケーション・プログラムは、また、特定のマルチメディアコンテンツが記録されかつDVR 102A上に格納されたかを判定するために機能する。例えば、メディア・アプリケーション・プログラムは、特定のマルチメディアコンテンツが格納されたかを判定するために、定期的に、DVR 102A上に格納された記録されたコンテンツのリスティングを要求することができる。マルチメディアコンテンツが、DVR 102Aに格納されているとして、リストされていない場合、メディア・アプリケーション・プログラムは、DVR 102AからPC 101へコンテンツの転送を開始しないであろう。さらに、メディア・アプリケーション・プログラムは、特定のマルチメディアコンテンツが、記録のために、スケジュールされていることを検証することができ、そうでない場合は、（例えば、電子プログラムガイドから取り出された情報を使用して）DVR 102Aにコンテンツを適切な時間に記録することを命令することができる。一旦、メディア・アプリケーション・プログラムが、特定のマルチメディアコンテンツがDVR 102A上に格納されたと判定すると、メディア・アプリケーション・プログラムは、上記コンテンツを転送するためのプロセスを使用して、DVR 102AおよびPC 101間で、コンテンツの転送を開始する。
【００６９】
これに代えて、ユーザは、サービスプロバイダ 106Aを通して、コンテンツの取り出しをスケジュールすることができる。例えば、ユーザは、ユーザがDVR 102AからPC 101へ転送されることを望む特定のマルチメディアコンテンツを指示するために、サービスプロバイダ 106Aのウェブサイトにアクセスすることができる。ユーザは、一旦、コンテンツがDVR 102Aにより記録されかつ格納された場合、マルチメディアコンテンツを、スケジュールされた時間にまたは自動的に転送することを指示することができる。次に、サービスプロバイダ 106Aは、PC 101に、マルチメディアコンテンツをDVR 102Aからユーザの設定を使用して、要求しかつ取り出すことを命令する、メッセージをPC 101へ送る。
【００７０】
これに代えて、サービスプロバイダ 106Aは、PC 101に、ユーザが要求しなかった他のマルチメディアコンテンツをDVR 102Aから取り出すことを命令することができる。例えば、サービスプロバイダ 106Aは、PC 101に、サービスプロバイダ 106AがユーザにPC 101上で視聴してほしい、一連のビデオコマーシャルを取り出すことを命令することができる。サービスプロバイダ 106Aは、コンテンツをPC 101にDVR 102Aを介して強要する能力を有する。このことは、サービスプロバイダ 106Aが、広告主とコンテンツ・プロバイダが彼らのコンテンツをユーザのPC 101に強要してもらうためにサービスプロバイダ 106Aに料金を払う、料金ベースのサービスを実施することを可能にする。料金は、コンテンツをPC 101上に単に置くこと、広告主またはコンテンツ・プロバイダの料金がユーザによるコンテンツの実際の視聴に基づくPC上で実際のユーザがコンテンツを視聴すること、または両方の組み合わせに基づくことが可能である。メディア・アプリケーション・プログラムは、サービスプロバイダ 106Aに、どのコンテンツが視聴されたか、コンテンツが何回、視聴されたか、および各コンテンツのどれくらいの量が視聴されたか、並びに測定可能な他のユーザ視聴統計を報告する能力を有する。
【００７１】
従って、ユーザは、転送を開始するために、PC 101上のメディア・アプリケーション・プログラムを使用する必要は無い。その代わりに、ユーザは、DVR 102AからPC 101へ、どの特定のコンテンツをユーザが転送させたいかを指示することが必要であるだけである。また、ユーザが、DVR 102A上にまだ格納されていないまたは記録されていないマルチメディアコンテンツを転送することを要求する場合、サービスプロバイダ 106Aは、PC 101に、マルチメディアコンテンツを取り出すことを、サービスプロバイダ 106AがマルチメディアコンテンツがDVR 102A上で使用可能であると判定するまで、命令することができない。
【００７２】
一実施例の場合、サービスプロバイダ 106Aは、直接DVR 102Aにインターネット 107を通して接続することにより、マルチメディアコンテンツがDVR 102A上で使用可能であると判定することができる。これに代えて、サービスプロバイダ 106Aは、DVR 102Aに電話回線にわたって接続を確立することにより、この判定を行うことができる。DVR 102Aが、コンタクトを開始することができる、またはサービスプロバイダ 106Aが、コンタクトを開始することができる。サービスプロバイダ 106Aは、DVR 102Aの記録されたマルチメディアコンテンツおよびスケジュールされた記録の情報を含むデータベースを保持する。サービスプロバイダ 106AがDVR 102Aに接続する毎に、サービスプロバイダ 106Aは、DVR 102Aの記録されたコンテンツおよびスケジュールされた記録を正しく反映するために、そのデータベースを更新する。従って、サービスプロバイダ 106Aは、DVR 102Aが記録されたコンテンツを含むか、または特定の記録をスケジュールしたかを判定するために、データベースをチェックする。
【００７３】
一旦、サービスプロバイダ 106Aが、DVR 102Aが特定のマルチメディアコンテンツを記録したと判定すると、サービスプロバイダ 106Aは、DVR 102AからPC 101へマルチメディアコンテンツの転送を開始するために、メッセージをPC 101へ送る。これに代えて、サービスプロバイダ 106Aは、DVR 102AからPC 101へマルチメディアコンテンツを転送するために、要求をPC 101へ単に送るだけでよい、その後、PC 101上のメディア・アプリケーション・プログラムが、DVR 102Aが記録されたコンテンツを含むか、または記録および／または取り出しのために、コンテンツをスケジュールするべきかを判定するために、使用される。さらに、別の実施例の場合、上記プロセスは、DVR 102Aからポータブルデバイス 101Aへ転送を開始するために、使用可能である。従って、サービスプロバイダ 106Aは、DVR 102AからPC 101へ転送を開始するために、さらにマルチメディアコンテンツをポータブルデバイス 101Aにより読み取り可能なフォーマットにトランスコードし、かつマルチメディアコンテンツをポータブルデバイス 101Aへ転送するために、メッセージをPC 101へ送ることができる。
【００７４】
加えて、上記プロセスは、ポータブルデバイス 101Aにより、開始可能である。このような実施例の場合、ポータブルデバイス 101Aは、サービスプロバイダ 106Aのウェブサイトにアクセスするために使用可能である。従って、ポータブルデバイス 101Aは、DVR 102AからPC 101へマルチメディアコンテンツの転送を選択しかつスケジュールするために機能することが可能である。さらに、一実施例の場合、サービスプロバイダ 106Aは、DVR 102AからPC 101へのマルチメディアコンテンツの転送が時を判定することができる。例えば、一旦、転送が完了した場合、DVR 102AまたはPC 101は、メッセージをサービスプロバイダ 106Aに、インターネット 107を通して送ることができる。続いて、サービスプロバイダ 106Aは、転送の完了を指示するメッセージをポータブルデバイス 101Aに、インターネット 107を通して送ることができる。さらに、別の実施例の場合、ポータブルデバイス 101Aは、携帯電話であることが可能であり、およびサービスプロバイダ 106Aは、セルラネットワークオペレータが、セルラネットワークを使用して、通知メッセージを携帯電話へ送ることを要求することができる。
【００７５】
システムのブロードバンド・アプリケーションも、また可能である。システムのこのようなアプリケーションにおいて、コンテンツサーバは、DVR 102Aが、インターネット 107のようなブロードバンドネットワークにわたって転送されかつDVR 102A上で視聴されるコンテンツを選択することを可能にする。例えば、DVR 102Aは、インターネット 107を介したDVR 102A上でのプレイバックまたは記憶のために、コンテンツをコンテンツサーバ 106Bからダウンロードすることができる。
【００７６】
図5を参照すると、一実施例に従う、コンテンツをブロードバンドネットワークにわたってダウンロードするためのユーザ・インタフェースが示される。DVR 102Aに接続された標準テレビ受像機を通して、DVR 102Aは、スクリーン 501をDVR 102Aのユーザに提示させる。スクリーン 501は、選択可能なオプションを含む、その1つが、マルチメディアコンテンツをブロードバンド接続にわたって取得ための“ビデオ接続(Video Connect)”オプションである。DVR 102Aのユーザは、DVR 102Aに関連した遠隔制御のような任意の適切な制御インタフェースを利用することにより、スクリーン 501上に表示されるオプションを選択することができる。DVR 102Aのユーザが“ビデオ接続(Video Connect)”オプションを選択する時、DVR 102Aは、スクリーン 502を提示させる。
【００７７】
スクリーン 502は、ダウンロードのために、使用可能なマルチメディアコンテンツに関する情報を表示する。一実施例の場合、このような情報は、マルチメディアコンテンツのタイトル、時間の長さ、および解説であることが可能である。ユーザが特定のマルチメディアコンテンツを選択する時、DVR 102Aは、スクリーン 503を、ユーザに提示させる。
【００７８】
スクリーン 503は、コンテンツサーバ 106Bからのマルチメディアコンテンツのダウンロードを購入しかつ開始するためのオプションを含む。一旦、ユーザが、マルチメディアコンテンツを購入しかつダウンロードすることを選択すると、DVR 102Aは、マルチメディアコンテンツのDVR 102Aへの転送を開始するために、コンテンツサーバ 106Bへ要求を送る。他の実施例の場合、ユーザは、コンテンツサーバ 106Bからマルチメディアコンテンツを購入することなしに、マルチメディアコンテンツをダウンロードすることができる。例えば、ユーザは、以前にマルチメディアコンテンツの代金を払ったかもしれない、またはマルチメディアコンテンツは、無料かもしれない。
【００７９】
インターネット 107にわたって、コンテンツサーバ 106BおよびDVR 102A間のこのようなコンテンツの安全な転送を保証するために、マルチメディアコンテンツは、DVR 102Aの公開暗号化鍵を使用して、コンテンツサーバ 106Bにより、暗号化可能である。DVR 102Aの公開暗号化鍵は、DVR 102Aまたはサービスプロバイダ 106Aから、コンテンツサーバ 106Bに提供可能である。一旦、DVR 102Aが、暗号化されたマルチメディアコンテンツを受信すると、それは、プレイバック用のコンテンツを、復号しかつ格納することができる。別の実施例の場合、コンテンツサーバ 106Bからダウンロードされたマルチメディアコンテンツは、上記プロセスを使用して、PC 101または別の DVR 102Bに、続いて、転送可能である。
【００８０】
3.3  内部PESのMPEG-2への変換プロセス
一実施例の場合、DVR 102Aは、プレイバックのために、内部PESフォーマットで記録されたマルチメディアコンテンツを格納する。しかしながら、PC 101がマルチメディアコンテンツを処理するために、内部PESフォーマットは、PC読み取り可能な形に変換されなければならない。一実施例の場合、このようなPC読み取り可能なフォーマットは、MPEGプログラムストリームである。図6を参照すると、マルチメディアコンテンツの内部PES表現は、マルチメディアコンテンツのビデオイベント(V)および音声イベント(A)を含む、PESバッファ 604により具体化される。その上、他の実施例の場合、PESバッファ 604は、プライベートデータイベントのような他のイベントを含むことができる。内部PESバッファ 604内のデータをMPEGプログラムストリーム 400に変換するプロセスを始めるために、DVR 102Aは、音声バッファ 612とビデオバッファ 614を割り当てる。
【００８１】
パーサ 606は、PESバッファ内の各イベントを読み取り、かつ音声またはビデオデータを夫々のバッファ 612または614に置く。従って、ビデオイベント(V)は、ビデオバッファ 612にパースされ、かつ音声イベント(A)は、音声バッファ 614にパースされるであろう。
【００８２】
ビデオバッファ 612と音声バッファ 614は、パケタイザ 620により監視される。ビデオまたは音声データの予め判定された量が各バッファを満たした時、パケタイザ 620は、パケット交換ネットワークにおけるマルチメディアコンテンツの転送ために、パケットを作成することを始める。一実施例の場合、パケットは、ヘッダ部分とデータ部分を含む。パケタイザ 620は、ビデオまたは音声データを夫々のバッファから取り、かつそれを各パケットのデータ部分に置くことにより、パケットを作成する。例えば、パケタイザ 606は、ビデオバッファ 612内の5 キロバイトのデータ毎にパケットを作成することができる。例えば、ビデオバッファ 612内の各ビデオイベント(V)が1 KBを表すと仮定する。5つのビデオイベント(V)がビデオバッファ 612に入力した時、パケタイザ 606は、十分なデータ (5 KB)がビデオバッファ 612を満たしたと判定し、かつ5つのビデオイベント (V)を表すデータをパケットのデータ部分に挿入する。
【００８３】
さらに、別の実施例の場合、パケタイザ 620は、追加のデータを各パケットのヘッダ部分に置くため、機能する。例えば、パケタイザ 620は、ヘッダデータを、音声およびビデオデータがMPEG標準を使用してエンコードされたことを指示するパケットに挿入することができる。パケタイザがパケット P1を作成することを完了した時、それは、パケットを出力ストリーム 630内に置く。一実施例の場合、出力ストリーム 630内のパケットP1〜P5は、各パケットの暗号化のために、適切な暗号化アルゴリズムを使用して、暗号化モジュール 640へ送られる。これに代えて、暗号化モジュール 640は、DVRのMACアドレスまたはメディア・アクセス鍵を備えるSHA-1を使用して生成された暗号化鍵を使用してメッセージを符号化するめに、使用可能である。最後に、出力ストリーム 630内の各パケットは、PC 101へ送られる。マルチメディアコンテンツの内部PES表現とは異なって、結果として生じる出力ストリーム 630は、PC 101により読み取り可能なフォーマットである。
【００８４】
別の実施例の場合、内部PESフォーマットを使用する代わりに、DVR 102Aは、マルチメディアコンテンツをMPEGプログラムストリームとして格納することができる。一実施例の場合、MPEGプログラムストリームは、MPEG-2 またはMPEG-4プログラムストリームである。従って、DVR 102Aは、PC 101への転送のために、データストリームを変換する必要はないであろう。例えば、DVR 102AがマルチメディアコンテンツのPC 101への転送を開始する時、DVR 102Aは、MPEGプログラムストリームを記憶から取り出し、データストリームをデータパケットへパースし、かつパケットをPC 101へ送る。上述のように、DVR 102Aは、さらに、PC 101へ送られたデータを暗号化することができる。PC 101が各パケットを受信する時、それは、パケットをMPEGプログラムストリームに再びアゼンブルし、かつデータストリームを記憶デバイスに格納する。ユーザがマルチメディアコンテンツをプレイバックすることを決定する時、PC 101は、MPEGプログラムストリームを記憶から取り出し、データストリームを復号し、かつマルチメディアコンテンツをユーザに表示する。さらに、PC 101は、ポータブルデバイス 101Aへの転送のために、MPEGプログラムストリームをトランスコードすることができる。別の実施例の場合、PC 101は、任意のさらにプロセス無しに、MPEGプログラムストリームを直接ポータブルデバイス 101Aへ送ることができる。例えば、ポータブルデバイス 101Aは、マルチメディアコンテンツをMPEGフォーマットで格納しかつプレイバックするために機能することが可能である。
【００８５】
これに代えて、DVR 102Aは、DVR 102A上の記憶および／またはプレイバックのために、受け入れ可能な任意のフォーマットでマルチメディアコンテンツを格納することができる。さらに、DVR 102AまたはPC 101は、PC 101またはポータブルデバイス 101A上の記憶および／またはプレイバックのために、  マルチメディアコンテンツを受け入れ可能な任意のフォーマットに変換することができる。
【００８６】
4.0   実施メカニズム--ハードウェア概要
図7は、本発明の実施例が実施可能なコンピュータシステム 700を例示するブロック図である。コンピュータシステム 700は、バス 702または情報を通信するための他の通信メカニズム、および情報を処理するためのバス 702と結合されたプロセッサー704を含む。コンピュータシステム 700は、また、情報およびプロセッサー 704により実行されるべき命令を格納するために、バス 702に結合された、読取り書き込み記憶装置 (RAM) または他の動的記憶デバイスのような、主メモリ 706を含む。主メモリ 706は、また、一時的数値変数またはプロセッサー 704により実行されるべき命令の実行中の他の中間情報を格納するために、使用可能である。コンピュータシステム 700は、さらに、読取専用記憶装置(ROM) 708、または静的情報およびプロセッサー 704に対する命令を格納するために、バス 702に結合される他の静的記憶デバイスを含む。磁気ディスクまたは光ディスクのような記憶デバイス 710が、情報および命令を格納するために、提供されかつバス 702に結合される。
【００８７】
コンピュータシステム 700は、情報をコンピュータユーザに表示するための、ブラウン管(CRT)のようなディスプレイ 712をバス 702を介して結合可能である。英数字および他のキーを含む入力デバイス 714は、情報およびコマンド選択をプロセッサー 704に通信するために、バス 702に結合される。別のタイプのユーザ入力デバイスは、方向情報およびコマンド選択をプロセッサー 704に通信し、かつディスプレイ 712上のカーソル動きを制御するために、マウス、トラックボール、またはカーソル方向キーのような、カーソル制御 716である。この入力デバイスは、典型的には、デバイスが平面内で位置を指定することを可能にする2軸、第1の軸 （例えば、x）と第2の軸（例えば、y）の2つの自由度を有する。
【００８８】
本発明は、本明細書記載の技術を実施するためのコンピュータシステム 700の使用に関する。本発明の一実施例に従う、これらの技術は、主メモリ 706に含まれる１つ以上の命令の１つ以上のシーケンスを実行するプロセッサー 704に応じて、コンピュータシステム 700により実行される。このような命令は、記憶デバイス 710のような別のコンピュータ可読媒体から主メモリ 706に読み取り可能である。主メモリ706に含まれる命令のシーケンスの実行は、プロセッサー704 に、本明細書記載のプロセスステップを実行させる。代替実施例の場合、ハードワイヤード回路素子は、本発明を実施するソフトウェア命令の代わりに、または併用して、使用可能である。従って、本発明の実施例は、ハードウェア回路素子とソフトウェアとの任意の具体的な組み合わせに限定されない。
【００８９】
本明細書で使用される用語“コンピュータ可読媒体(computer-readable medium)”は、実行のために、命令をプロセッサー704に提供することに関与する任意の媒体を指している。このような媒体は、不揮発性媒体、揮発性媒体、および伝送媒体を含むが、これらに限定されない、多くの形を取ることができる。不揮発性媒体は、例えば、記憶デバイス 710のような光または磁気ディスクを含む。揮発性媒体は、主メモリ 706のようなダイナミックメモリを含む。伝送媒体は、バス 702を有するワイヤを含む、同軸ケーブル、銅線および光ファイバーを含む。伝送媒体は、また、電波および赤外線データ通信中に生成される波のような音波または光波の形をとることができる。
【００９０】
コンピュータ読取り可能媒体の一般的な形は、例えば、プロピーディスク、フレキシブルディスク、ハードディスク、磁気テープ、または任意の他の磁気媒体、CD-ROM、任意の他の光媒体、せん孔カード、紙テープ、孔のパターンを有する任意の他の物理媒体、RAM、PROM、およびEPROM、FLASH-EPROM、任意の他のメモリチップまたはカートリッジ、後述するような搬送波、またはコンピュータが読み取ることができる任意の他の媒体を含む。
【００９１】
様々な形のコンピュータ読取り可能媒体は、実行のために、プロセッサー 704に対して１つ以上の命令の１つ以上のシーケンを保持するものに含まれる。例えば、命令は、最初に、遠隔コンピュータの磁気ディスク上で保持可能である。遠隔コンピュータは、命令をそのダイナミックメモリにロードすることができ、かつモデムを使用して、電話回線にわたって命令を送ることができる。コンピュータシステム 700にローカルなモデムは、電話回線上でデータを受信することができ、赤外線送信機を使用してデータを赤外線信号に変換することができる。赤外線検出器は、赤外線信号に搬送されたデータを受信することができ、および適切な回路素子は、データをバス 702上に置くことができる。バス 702は、そこからプロセッサー 704が命令を取り出しかつ実行するデータを主メモリ 706に搬送する。主メモリ 706により受信される命令は、オプションで、プロセッサー 704による実行の前または後の何れかで、記憶デバイス 710上に格納可能である。
【００９２】
コンピュータシステム 700は、また、バス 702に結合された通信インタフェース 718を含む。通信インタフェース 718は、ローカルネットワーク 722に接続されるネットワークリンク 720に結合される双方向データ通信を提供する。例えば、通信インタフェース 718は、データ通信接続を対応するタイプの電話回線に提供するために、統合されたサービスデジタルネットワーク (ISDN)カードまたはモデムであることが可能である。別の具体例として、通信インタフェース 718は、データ通信接続を互換性のあるLANに提供するために、ローカルエリアネットワーク(LAN)カードであることが可能である。無線リンクも、また、実施可能である。任意のこのような実施において、通信インタフェース 718は、様々なタイプの情報を表すデジタルデータストリームを搬送する、電気的、電磁気的または光信号を送り、かつ受信する。
【００９３】
ネットワークリンク 720は、典型的には、データ通信を１つ以上のネットワークを通して他のデータデバイスに提供する。例えば、ネットワークリンク 720は、接続を、ローカルネットワーク 722を通してホストコンピュータ 724へまたはインターネットサービスプロバイダ(ISP)726により操作されるデータ装置へ提供することができる。ISP 726は、次に、データ通信サービスを、今一般に“インターネット”と称される、ワールドワイドパケットデータ通信ネットワーク728を通して、提供する。ローカルネットワーク 722とインターネット 728は両方とも、デジタルデータストリームを搬送する、電気的、電磁気的または光信号を使用する。コンピュータシステム 700にかつそれからデジタルデータを搬送する、様々なネットワークを通した信号、およびネットワークリンク 720上および通信インタフェース 718を通した信号は、情報を運ぶ搬送波の典型的な形である。
【００９４】
コンピュータシステム 700は、ネットワーク、ネットワークリンク 720および通信インタフェース 718を通して、プログラムコードを含む、メッセージを送ることができかつデータを受信することができる。インターネット具体例において、サーバ 730は、インターネット 728、ISP 726、ローカルネットワーク 722および通信インタフェース 718を通して、アプリケーションプログラム用の要求されたコードを送信することができるであろう。
【００９５】
受信されたコードは、それが受信されると、プロセッサー 704により実行可能であり、および／または、後の実行のために、記憶デバイス 710または他の不揮発性記憶に格納される。このように、コンピュータシステム 700は、アプリケーションコードを搬送波の形で取得することができる。
【００９６】
上記明細書において、本発明は、特定の実施態様を参照して説明された。しかしながら、様々な修正および変更が、本発明の真の精神および範囲から逸脱することなく、行うことができることは明らかであろう。従って、本明細書および図面は、制限的な意味ではなく例示的な意味で考えられるべきである。
【００９７】
5.0   拡張および代替
上記明細書において、本発明は、特定の実施態様を参照して説明された。しかしながら、様々な修正および変更が、本発明の真の精神および範囲から逸脱することなく、行うことができることは明らかであろう。従って、本明細書および図面は、制限的な意味ではなく例示的な意味で考えられるべきである。
【図面の簡単な説明】
【００９８】
【図１Ａ】本発明の一実施例に従う、マルチメディアコンテンツの安全な転送およびプレイバックを提供するための通信システムを示すブロック図である。
【図１Ｂ】本発明の一実施例に従う、デジタルビデオレコーダ(DVR)の構成要素の一般的な概要を示すブロック図である。
【図２】本発明の一実施例に従う、マルチメディアコンテンツの安全な転送およびプレイバックのために、DVRおよびPC間に安全な接続を確立するための方法を示すフローチャートである。
【図３Ａ】本発明の一実施例に従う、マルチメディアコンテンツを、DVRおよびPC間で安全に転送するための方法を示すフローチャートである。
【図３Ｂ】本発明の一実施例に従う、マルチメディアコンテンツを、DVRおよびPC間で安全に転送するためのユーザ・インタフェースを示すブロック図である。
【図４】本発明の一実施例に従う、MPEGプログラムストリームの一般的な概要を示すブロック図である。
【図５】本発明の一実施例に従う、コンテンツ・プロバイダからマルチメディアコンテンツをダウンロードするために、DVRのユーザに提示されるユーザ・インタフェースを示すブロック図である。
【図６】本発明の一実施例に従う、マルチメディアコンテンツの内部PES表現をMPEGプログラムストリームに変換するためのプロセスを示す図である。
【図７】本発明の実施例を実施することができるシステムのブロック図である。
【符号の説明】
【００９９】
106A    サービスプロバイダ
106B    コンテンツサーバ
107     インターネット
101A    ポータブルデバイス
102A    DVR
102B    DVR
105     ローカルエリアネットワーク
190     ホームネットワーク
【図１Ａ】
2008521365.tif 000003
【図１Ｂ】
2008521365.tif 000004
【図２】
2008521365.tif 000005
【図３Ａ】
2008521365.tif 000006
【図３Ｂ】
2008521365.tif 000007
【図４】
2008521365.tif 000008
【図５】
2008521365.tif 000009
【図６】
2008521365.tif 000010
【図７】
2008521365.tif 000011
【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
マルチメディアコンテンツの安全な転送およびプレイバックを提供する方法であって、
デジタルビデオレコーダ(DVR)において、ローカルエリアネットワーク(LAN)内のパーソナルコンピュータ(PC)を許可された共用PCとして識別すること；
前記DVRおよび前記許可された共用PC間で安全な接続を確立すること；
前記DVRにおいて、マルチメディアコンテンツ用の要求を前記許可された共用PCから受信すること；
前記DVRにおいて、前記要求されたマルチメディアコンテンツを、前記要求されたマルチメディアコンテンツが第1のビデオフォーマットで格納される、前記DVR上の記憶デバイスから取り出すこと；
前記DVRにおいて、前記マルチメディアコンテンツの前記第1のビデオフォーマットを、第2のビデオフォーマットがコンピュータ可読フォーマットである、前記マルチメディアコンテンツの前記第2のビデオフォーマットに変換すること； 
前記マルチメディアコンテンツの前記第2のフォーマットをマルチメディアコンテンツに関連するメタデータと共に、前記DVRから前記許可された共用PCへ送ること；および
前記PC上のメディアアプリケーションプログラムにより、マルチメディアコンテンツの転送状態を、マルチメディアコンテンツに関連するメタデータと共に、ユーザに表示すること
を有する方法。
【請求項２】
安全な接続を確立することが、さらに、
前記DVRにおいて、第1の接続要求を前記許可された共用PCから受信すること；および
前記DVRにおいて、前記許可された共用PCが、前記接続を確立することを許可されていると判定することを有し、
前記許可された共用PCが許可されていると判定することは、固有番号識別子を前記許可された共用PCから受信することを含む、請求項1に記載の方法。
【請求項３】
前記DVRにおいて、固有番号識別子を指定するメディアアプリケーションプログラムを利用する任意のPCが、前記接続を確立することを許可されているというメッセージを受信することを、さらに有する請求項1に記載の方法。
【請求項４】
マルチメディアコンテンツに対する前記要求が、メッセージをサービスプロバイダから受信する前記許可された共用PCに応じて、前記許可された共用PCから送られる請求項1に記載の方法。
【請求項５】
前記サービスプロバイダが、前記要求されたマルチメディアコンテンツが前記DVRの前記記憶デバイス上に格納されていると判定した後、前記サービスプロバイダからの前記メッセージが、前記許可された共用PCに送られる請求項4に記載の方法。
【請求項６】
前記DVRにおいて、前記要求されたマルチメディアコンテンツをサービスプロバイダから取り出すこと；および
前記要求されたマルチメディアコンテンツを前記記憶デバイス上に格納することをさらに有する請求項1に記載の方法。
【請求項７】
マルチメディアコンテンツに対する前記要求が、メッセージをサービスプロバイダから受信する前記許可された共用PCに応じて、前記許可された共用PCから送られる請求項6に記載の方法。
【請求項８】
前記DVRにおいて、広告コンテンツをサービスプロバイダから受信すること； 
前記広告コンテンツを前記DVRから前記PCに送ること；
前記PCにおいて、前記広告コンテンツを受信すること；
前記広告コンテンツをユーザに表示すること；
前記広告コンテンツが、前記PCにより受信されたことを示すために、前記PCから前記サービスプロバイダへメッセージを送ること；および
前記サービスプロバイダにより、広告コンテンツを前記PCに配送することに対して広告主に料金を請求することを；
さらに有する請求項1に記載の方法。
【請求項９】
前記DVRにおいて、サービスプロバイダから前記広告コンテンツを受信すること；
前記DVRから前記PCに前記広告コンテンツを送ること；
前記PCにおいて、前記広告コンテンツを受信すること；
前記広告コンテンツをユーザに表示すること； 
前記広告コンテンツが、前記ユーザに表示されたことを指示するメッセージを前記PCから前記サービスプロバイダに送ること；および
前記ＰＣ上で広告コンテンツから広告をユーザが閲覧することに対して前記サービスプロバイダにより、広告主に料金を請求することを、さらに有する請求項8に記載の方法。
【請求項１０】
前記サービスプロバイダが、マルチメディアコンテンツを転送するための遠隔要求を受信した後、前記サービスプロバイダからの前記メッセージが、前記許可された共用PCに送られ；および前記マルチメディアコンテンツを転送するための遠隔要求が、ポータブルデバイスから送られる、請求項4に記載の方法。
【請求項１１】
前記マルチメディアコンテンツの前記第2のフォーマットが、任意のMPEG (Motion Pictures Expert Group)フォーマットである請求項1に記載の方法。
【請求項１２】
前記変換するステップが、さらに、
追加のデータを前記マルチメディアコンテンツの前記第2のフォーマットにアタッチすることを有し、
前記追加のデータが前記マルチメディアコンテンツに関する情報を含む請求項1に記載の方法。
【請求項１３】
前記マルチメディアコンテンツの前記第1のフォーマットおよび前記第2のフォーマットが、任意のMPEG (Motion Pictures Expert Group)フォーマットである請求項12に記載の方法。
【請求項１４】
前記追加のデータが、前記マルチメディアコンテンツに対するユーザライセンス情報を含む請求項12に記載の方法。
【請求項１５】
前記追加のデータが、前記マルチメディアコンテンツに対する起源情報を含む請求項12に記載の方法。
【請求項１６】
前記変換するステップが、さらに、
透かしを前記マルチメディアコンテンツの前記第2のフォーマットにアタッチすることを有する請求項1に記載の方法。
【請求項１７】
前記DVRにおいて、前記マルチメディアコンテンツの前記第2のフォーマットを暗号化するステップをさらに有する請求項1に記載の方法。
【請求項１８】
前記DVRにおいて、マルチメディアコンテンツをコンテンツサーバから受信すること；および
前記記憶デバイス上に前記マルチメディアコンテンツを格納することを、さらに有する請求項1に記載の方法。
【請求項１９】
マルチメディアコンテンツの安全な転送およびプレイバックを提供するための方法であって、
パーソナルコンピュータ(PC)において、特定のデジタルビデオレコーダ(DVR)を許可された共用DVRとして識別すること；
前記DVRがマルチメディアコンテンツを記録し、かつダウンロードすること；
前記PCおよび前記許可された共用DVR間で安全な接続を確立すること；
特定のマルチメディアコンテンツを前記許可された共用DVRから要求すること；
前記PCにおいて、前記要求された特定のマルチメディアコンテンツを、前記マルチメディアコンテンツに関連するメタデータと共に、前記許可された共用DVRから受信することであって、前記マルチメディアコンテンツが、前記デジタルデータストリームの形であり、かつ前記マルチメディアコンテンツが、前記PCおよび／またはいかなる他の認可された共用DVRによってしか解読することができなく； 
前記デジタルデータストリームを前記PCに通信可能に結合された記憶デバイス上に格納すること；
前記PC上のメディアアプリケーションプログラムにより、マルチメディアコンテンツの転送状態を、前記マルチメディアコンテンツに関連するメタデータと共に、ユーザに表示すること；
携帯デバイスによるプレイバックのために前記PCにより前記保存されたデジタルデータストリームをフォーマットすること；および
前記PCから認可された携帯デバイスに、フォーマットされたデジタルデータストリームを転送すること
を有する方法。
【請求項２０】
前記携帯機器が、PCデバイス、携帯電話、または携帯メディアプレーヤーの何れかである、請求項19に記載の方法。
【請求項２１】
前記デジタルデータストリームが、任意のMPEGフォーマットである請求項19に記載の方法。
【請求項２２】
前記特定のDVRを許可されたDVRとして識別するユーザ入力を受信することをさらに有する請求項19に記載の方法。
【請求項２３】
前記特定のDVRを許可されたDVRとして識別するユーザ入力が、前記特定のDVRと関連した固有番号識別子である請求項22に記載の方法。
【請求項２４】
前記要求するステップが、さらに、
前記許可された共用DVRから前記PCへの特定のマルチメディアコンテンツの前記転送を要求するサービスプロバイダから、メッセージを受信することに応じて、前記特定のマルチメディアコンテンツを前記許可された共用DVRから要求することを有する請求項19に記載の方法。
【請求項２５】
前記サービスプロバイダが、前記特定のマルチメディアコンテンツが前記DVRの記憶デバイス上に格納さていると判定した後、前記サービスプロバイダからの前記メッセージが送られる請求項24に記載の方法。
【請求項２６】
マルチメディアコンテンツの安全な転送およびプレイバックを提供するための方法であって：
デジタルビデオレコーダ(DVR)において、ローカルエリアネットワーク(LAN)内のパーソナルコンピュータ(PC)を許可された共用PCとして識別すること；
前記DVRおよび前記許可された共用PC間で安全な接続を確立すること；
前記許可された共用PCにおいて、マルチメディアコンテンツ用の要求を前記PCに保存されたマルチメディアコンテンツのために前記DVRから受信すること；
前記許可された共用PCにおいて、前記要求されたマルチメディアコンテンツを前記許可された共用PC上の記憶デバイスから取り出すこと；
前記要求されたマルチメディアコンテンツを前記許可された共用PCから前記DVRに送ること；
前記DVRのユーザに、マルチメディアコンテンツの転送状態を表示すること
を有する方法。
【請求項２７】
前記許可された共用PCにおいて、マルチメディアコンテンツをポータブルデバイスから受信すること；および
前記許可された共用PCにおいて、前記許可された共用PCの前記記憶デバイス上に前記マルチメディアコンテンツを格納することをさらに有する請求項26に記載の方法。
【請求項２８】
マルチメディアコンテンツの安全な転送およびプレイバックを提供するためのシステムであって：
デジタルビデオレコーダ(DVR)；
パーソナルコンピュータ(PC)；
サービスプロバイダ；
前記サービスプロバイダ、PCおよびDVRに結合されたコンピュータネットワークを有し；
前記サービスプロバイダが、前記DVR上に格納されたマルチメディアコンテンツのリスティングを取得するために、前記DVRと通信する；
前記サービスプロバイダが、マルチメディアコンテンツの前記リスティングを前記サービスプロバイダのユーザに提供する；および
前記サービスプロバイダにより、前記サービスプロバイダにより提供されたマルチメディアコンテンツの前記リスティングに従ってユーザにより選択される特定のマルチメディアコンテンツを、前記PCに転送することを、前記DVRが、命令される、システム。
【請求項２９】
前記サービスプロバイダが、前記DVRの記録スケジュールを取得するために、前記DVRと通信し；かつ前記DVRが、前記サービスプロバイダにより、前記ユーザにより選択されるマルチメディアプログラムを記録するように命令される請求項28に記載のシステム。
【請求項３０】
前記PCが、前記サービスプロバイダにより、特定のマルチメディアコンテンツを前記DVRから前記コンピュータネットワークにわたって取り出すように命令される請求項28に記載のシステム。
【請求項３１】
マルチメディアコンテンツの安全な転送およびプレイバックを提供するための装置であって、
デジタルビデオレコーダ(DVR)において、ローカルエリアネットワーク(LAN)内のパーソナルコンピュータ(PC)を許可された共用PCとして識別するためのモジュール；
前記DVRおよび前記許可された共用PC間で安全な接続を確立するためのモジュール；
前記DVRにおいて、マルチメディアコンテンツ用の要求を前記許可された共用PCから受信するためのモジュール；
前記DVRにおいて、前記要求されたマルチメディアコンテンツを、前記要求されたマルチメディアコンテンツが第1のビデオフォーマットで格納される、前記DVR上の記憶デバイスから取り出すためのモジュール；
前記DVRにおいて、前記マルチメディアコンテンツの前記第1のフォーマットを、第2のビデオフォーマットがコンピュータ可読ビデオフォーマットである、前記マルチメディアコンテンツの前記第2のビデオフォーマットに変換するためのモジュール；および
前記マルチメディアコンテンツの前記第2のフォーマットをマルチメディアコンテンツに関連するメタデータと共に前記DVRから前記許可された共用PCへ送るためのモジュール；
マルチメディアコンテンツに関連するメタデータと伴に、マルチメディアコンテンツの転送状態を、ユーザに表示するPCのメディアアプリケーションプログラム
を有する装置。
【請求項３２】
安全な接続を確立することが、さらに：
前記DVRにおいて、第1の接続要求を前記許可された共用PCから受信するためのモジュール；および
前記DVRにおいて、前記許可された共用PCが、前記接続を確立することを許可されていると判定するためのモジュールを有し、
前記許可された共用PCが許可されていると判定することは、固有番号識別子を前記許可された共用PCから受信することを含む請求項31に記載の装置。
【請求項３３】
前記DVRにおいて、固有番号識別子を指定するメディア・アプリケーション・プログラムを利用する任意のPCが、前記接続を確立することを許可されているというメッセージを受信するためのモジュールを、さらに有する請求項31に記載の装置。
【請求項３４】
マルチメディアコンテンツに対する前記要求が、メッセージをサービスプロバイダから受信する前記許可された共用PCに応じて、前記許可された共用PCから送られる請求項31に記載の装置。
【請求項３５】
前記サービスプロバイダが、前記要求されたマルチメディアコンテンツが前記DVRの前記記憶デバイス上に格納されていると判定した後、前記サービスプロバイダからの前記メッセージが、前記許可された共用PCに送られる請求項34に記載の装置。
【請求項３６】
前記DVRにおいて、前記要求されたマルチメディアコンテンツをサービスプロバイダから取り出すためのモジュール；および
前記要求されたマルチメディアコンテンツを前記記憶デバイス上に格納するためのモジュールを、さらに有する請求項31に記載の装置。
【請求項３７】
マルチメディアコンテンツに対する前記要求が、メッセージをサービスプロバイダから受信する前記許可された共用PCに応じて、前記許可された共用PCから送られる請求項36に記載の装置。
【請求項３８】
前記DVRにおいて、広告コンテンツをサービスプロバイダから受信するためのモジュール；および
前記広告コンテンツを前記DVRから前記PCに送るためのモジュールを、さらに有する請求項31に記載の装置。
【請求項３９】
前記PCにおいて、前記DVRから前記広告コンテンツを受信するためのモジュール；
前記広告コンテンツをユーザに表示するためのモジュール；および
前記広告コンテンツが、前記ユーザに表示されたことを指示するメッセージを前記PCから前記サービスプロバイダに送るためのモジュールをさらに有する請求項31に記載の装置。
【請求項４０】
前記サービスプロバイダがマルチメディアコンテンツを転送するための遠隔要求を受信した後、前記サービスプロバイダからの前記メッセージが、前記許可された共用PCに送られ；および前記マルチメディアコンテンツを転送するための遠隔要求が、ポータブルデバイスから送られる請求項34に記載の装置。
【請求項４１】
前記マルチメディアコンテンツの前記第2のフォーマットが、任意のMPEG(Motion Pictures Expert Group)フォーマットである請求項31に記載の装置。
【請求項４２】
前記変換するモジュールが、さらに、
追加のデータを前記マルチメディアコンテンツの前記第2のフォーマットにアタッチするためのモジュールを有し、前記追加のデータが前記マルチメディアコンテンツに関する情報を含む請求項37に記載の装置。
【請求項４３】
前記マルチメディアコンテンツの前記第1および第2のフォーマットが、任意のMPEG(Motion Pictures Expert Group)フォーマットである請求項42に記載の装置。
【請求項４４】
前記追加のデータが、前記マルチメディアコンテンツに対するユーザライセンス情報を含む請求項42に記載の装置。
【請求項４５】
前記追加のデータが、前記マルチメディアコンテンツに対する起源情報を含む請求項42に記載の装置。
【請求項４６】
前記変換するモジュールが、さらに、
透かしを前記マルチメディアコンテンツの前記第2のフォーマットにアタッチするためのモジュールを有する請求項31に記載の装置。
【請求項４７】
前記マルチメディアコンテンツの前記第2のフォーマットを前記DVRにおいて暗号化するためのモジュールをさらに有する請求項31に記載の装置。
【請求項４８】
前記DVRにおいて、マルチメディアコンテンツをコンテンツサーバから受信するためのモジュール；および
前記記憶デバイス上に前記マルチメディアコンテンツを格納するためのモジュールをさらに有する請求項31に記載の装置。
【請求項４９】
マルチメディアコンテンツの安全な転送およびプレイバックを提供するための装置であって：
パーソナルコンピュータ(PC)において、特定のデジタルビデオレコーダ(DVR)を許可された共用DVRとして識別するためのモジュール；
前記PCおよび前記許可された共用DVR間で安全な接続を確立するためのモジュール；
特定のマルチメディアコンテンツを前記許可された共用DVRから要求するためのモジュール；
前記PCにおいて、前記要求された特定のマルチメディアコンテンツを前記許可された共用DVRから受信するためのモジュールを有し、前記マルチメディアコンテンツが、前記デジタルデータストリームの形であり；および
前記デジタルデータストリームを前記PCに通信可能に結合された記憶デバイス上に格納するためのモジュールを有する装置。
【請求項５０】
パーソナルコンピューティングデバイス上のプレイバックのために前記デジタルデータストリームを処理するためのモジュールをさらに有する請求項49に記載の装置。
【請求項５１】
前記デジタルデータストリームが、任意のMPEGフォーマットである請求項49に記載の装置。
【請求項５２】
前記特定のDVRを許可されたDVRとして識別するユーザ入力を受信するためのモジュールをさらに有する請求項49に記載の装置。
【請求項５３】
前記特定のDVRを許可されたDVRとして識別するユーザ入力が、前記特定のDVRと関連した固有番号識別子である請求項52に記載の装置。
【請求項５４】
前記要求するモジュールが、さらに、
前記許可された共用DVRからの特定のマルチメディアコンテンツの前記転送を要求するサービスプロバイダから、メッセージを受信することに応じて、前記特定のマルチメディアコンテンツを前記許可された共用DVRから要求するためのモジュールを有する請求項49に記載の装置。
【請求項５５】
前記サービスプロバイダが、前記要求されたマルチメディアコンテンツが前記DVRの記憶デバイス上に格納されていると判定した後、前記サービスプロバイダからの前記メッセージが、送られる請求項54に記載の装置。
【請求項５６】
前記許可された共用PCにおいて、マルチメディアコンテンツをポータブルデバイスから受信するためのモジュール；および
前記許可された共用PCにおいて、前記許可された共用PCの前記記憶デバイス上に前記マルチメディアコンテンツを格納するためのモジュールをさらに有する請求項49に記載の装置。
【国際調査報告】
2008521365.tif 000012
2008521365.tif 000013
2008521365.tif 000014
2008521365.tif 000015
2008521365.tif 000016
2008521365.tif 000017